(57)【要約】【課題】本発明は医用のステンレス鋼線の巻き取り装置を開示した。【解決手段】ボディと前記ボディの中に設置された操作チャンバとを含み、前記操作チャンバの中には巻き取り装置が設置され、前記巻き取り装置は前記操作チャンバの中に回転できるように設置された回転ラックを含み、本発明が提供した医用のステンレス鋼線の巻き取り装置は、自動的にステンレス鋼線を巻き軸に巻くことができ、同時に巻き取る時に前記巻き軸を連動させて上下へ移動させ、巻き取りをもっと均一にし、また設備は自動的に鋼線を切断でき、同時に設備は自動的に鋼線を輸送でき、便利で効率的であり、設備の中には完成品送り装置が設置され、巻き取った巻き軸を設備の外部まで送ることができ、自動化程度が高く、普及する価値がある。【選択図】図１
2020196042.tif 000002
【特許請求の範囲】
【請求項１】
正面視で、ボディと前記ボディの中に設置された操作チャンバとを含み、前記操作チャンバの中には巻き取り装置が設置され、前記巻き取り装置は前記操作チャンバの中に回転できるように設置された回転ラックを含み、前記回転ラックの頂壁の中には上方へ開口した巻き取りチャンバが設置され、前記巻き取りチャンバの底壁の中には伝動チャンバが設置され、前記伝動チャンバの端壁の中には引き上げチャンバが設置され、前記引き上げチャンバと前記巻き取りチャンバとの間には第一スプラインスリーブが回転できるように設置され、前記第一スプラインスリーブの中には第一スプライン軸がスプラインにより連結され、前記第一スプライン軸が前記第一スプラインスリーブの回転とともに同時に上下に移動し、これによりステンレス鋼線の巻き取りを実現し、
前記操作チャンバの右側端壁の中には外部に連通した連通溝が設置され、前記連通溝の中には前記巻き取り装置にステンレス鋼線を輸送する鋼線輸送装置が設置され、前記鋼線輸送装置は前記連通溝の中に設置されたスライドできるガイドロッドを含み、前記ガイドロッドの中には鋼線通し孔が設置され、前記鋼線通し孔の上下端壁の中には片方向だけへ回転できるローラが対称的に設置され、前記鋼線輸送装置が鋼線を輸送することに便利を与え、
前記鋼線輸送装置の底壁の中にはステンレス鋼線を切断できる鋼線切断装置が設置され、前記回転ラックが半周回転する時に前記鋼線切断装置を連動させて鋼線を切断させ、前記回転ラックが一周回転する時に前記鋼線輸送装置を連動させて鋼線を輸送させ、
前記操作チャンバの底壁の中には巻き取った完成品を輸送する完成品送り装置が設置され、前記回転ラックが回転して巻き取った完成品を連動させて前記完成品送り装置の中に設置された伝送ベルトに落として設備の外部まで送り出し、前記操作チャンバの左側端壁の中にはスライドチャンバが設置され、前記スライドチャンバの中には動力を切り換えることができる切換装置が設置され、前記完成品送り装置が回転して前記切換装置を連動させて作動させ、これにより前記巻き取り装置と前記回転ラックとの間の駆動動力を切り換えることを特徴とする医用のステンレス鋼線の巻き取り装置。
【請求項２】
前記巻き取り装置はまた前記スプライン軸の底壁の中に回転できるように連結された引き上げラックを含み、前記引き上げラックの中には左右に貫通している長孔が設置され、前記引き上げチャンバの左側には前記伝動チャンバを貫通している第一回転軸が回転できるように設置され、前記引き上げチャンバの中の前記第一回転軸の末端には回転ロッドが固定的に設置され、前記回転ロッドの右側端壁には前記長孔にスライドできるように設置されたリミットブロックが固定的に設置され、前記伝動チャンバの中の前記第一回転軸の外面には第一ベベルギヤが固定的に設置され、前記第一スプラインスリーブの外面には前記第一ベベルギヤと噛み合っている第二ベベルギヤが固定的に設置され、前記第一回転軸の左側末端には第二スプラインスリーブが固定的に設置され、前記第一スプライン軸の外面には前記巻き取りチャンバの中にスライドできるように設置された阻み板が固定的に設置され、前記第一スプライン軸の頂部には左右に貫通している挟持孔が設置され、前記挟持孔の上下端壁の中には開口が向き合っている第一スライド孔が設置され、前記第一スライド孔の中には第一スライドロッドがスライドできるように設置され、前記第一スライドロッドと前記第一スライド孔の端壁との間には第一バネが弾性を持つように設置され、前記巻き取りチャンバの右側端壁の中には抜き孔が設置されたことを特徴とする請求項１医用のステンレス鋼線の巻き取り装置。
【請求項３】
前記鋼線輸送装置はまた前記鋼線通し孔の上下端壁の中に対称的に設置された弾力チャンバを含み、前記弾力チャンバの中には挟持ブロックがスライドできるように設置され、前記挟持ブロックと前記弾力チャンバの端壁との間には第二バネが弾性を持つように設置され、前記挟持ブロックの中にはローラチャンバが設置され、前記ローラチャンバの左右端壁の中にはラチェット歯止めチャンバが設置され、左右二つの前記ラチェット歯止めチャンバの間には第二回転軸が回転できるように設置され、前記ラチェット歯止めチャンバの中の前記第二回転軸の末端には前記ラチェット歯止めチャンバと協働するラチェットギヤが固定的に設置され、前記ローラが前記ローラチャンバの中の前記第二回転軸の外面に固定的に設置され、前記ガイドロッドと前記連通溝の頂壁との間には第一復帰装置が弾性を持つように設置され、前記連通溝の底壁の中にはギヤチャンバが設置され、前記ギヤチャンバの中には第三回転軸が回転できるように設置され、前記第三回転軸の外面には、前記ガイドロッドの底壁に固定的に設置された第一ラックと噛み合っているセクタギヤと、前記セクタギヤの前側に位置しているウォームホイールとが固定的に設置されたことを特徴とする請求項１医用のステンレス鋼線の巻き取り装置。
【請求項４】
前記鋼線切断装置はカムチャンバを含み、前記カムチャンバの中には阻みブロックがスライドできるように設置され、前記カムチャンバの頂壁の中には前記連通溝に連通しているガイドスライド孔が設置され、前記ガイドスライド孔の中には切断ナイフがスライドできるように設置され、前記阻みブロックと前記カムチャンバの頂壁との間には第三バネが弾性を持つように設置され、前記カムチャンバの右側端壁の中には噛み合いチャンバが設置され、前記噛み合いチャンバと前記カムチャンバとの間には前記回転ラックと固定的に連結された第四回転軸が回転できるように設置され、前記カムチャンバの中の前記第四回転軸の外面にはカムが固定的に設置され、前記噛み合いチャンバの中の前記第四回転軸の末端には第三ベベルギヤが固定的に設置されたことを特徴とする請求項１医用のステンレス鋼線の巻き取り装置。
【請求項５】
前記噛み合いチャンバと前記ギヤチャンバとの間にはロックチャンバが設置され、前記ロックチャンバと前記噛み合いチャンバとの間には前記ウォームホイールと噛み合っているウォームが回転できるように設置され、前記ロックチャンバの中の前記ウォームの外面にはロックギヤが固定的に設置され、前記噛み合いチャンバの頂壁の中には第五回転軸が回転できるように設置され、前記第五回転軸の末端には前記第三ベベルギヤと噛み合っている第四ベベルギヤが固定的に設置され、前記ウォームと前記第五回転軸との間には捻りバネが弾性を持つように設置され、前記カムチャンバの右側端壁の中には第二スライド孔が設置され、前記第二スライド孔の中には第二ラックがスライドできるように設置され、前記ロックチャンバの左側端壁の中には第三スライド孔が設置され、前記第三スライド孔の中には第三ラックがスライドできるように設置され、前記第三ラックと前記第三スライド孔の頂壁との間には第二復帰装置が弾性を持つように設置され、前記第二スライド孔と前記第三スライド孔との間には空きチャンバが設置され、前記空きチャンバの中には前記第二ラックと第三ラックと噛み合っている第一ギヤが回転できるように設置されたことを特徴とする請求項１医用のステンレス鋼線の巻き取り装置。
【請求項６】
前記完成品送り装置は前記ボディの中に設置された後方へ開口した伝送チャンバを含み、前記伝送チャンバの左側端壁の中にはベルトチャンバが設置され、前記伝送チャンバの中には前後対称の第六回転軸がスライドできるように設置され、前記伝送チャンバの中の前記第六回転軸の外面には伝送輪が固定的に設置され、前後二つの前記伝送輪の間が前記伝送ベルトにより伝動できるように連結され、前側の前記第六回転軸の末端が前記ベルトチャンバの中に伸びており、且つ前側の前記第六回転軸の末端には第一プーリが固定的に設置され、前記第一プーリと前記伝送輪との間にはラチェットギヤ装置が設置され、前記伝送チャンバの頂壁の中には前記ボディを貫通している巻き取り桶送り通路が設置されたことを特徴とする請求項１医用のステンレス鋼線の巻き取り装置。
【請求項７】
前記切換装置は前記スライドチャンバの中にスライドできるように設置されたスライドラックを含み、前記スライドラックの中には左右に貫通しているネジ山孔が設置され、前記ネジ山孔の中にはネジ山ロッドがネジ山により連結され、前記ネジ山ロッドの左側末端が前記ベルトチャンバの左側端壁の中に固定的に設置された第一モータと動力が伝達できるように連結され、前記スライドラックの中には第二モータが固定的に設置され、前記第二モータの主軸の右側末端には第二スプライン軸が固定的に連結され、前記第二モータの主軸の左側末端には第二ギヤが固定的に装着され、前記スライドチャンバと前記操作チャンバとの間には前記回転ラックと固定的に連結された第七回転軸が回転できるように設置され、前記スライドチャンバの中の前記第七回転軸の末端には第三ギヤが固定的に設置され、前記ベルトチャンバの中の前記第七回転軸の末端には第二プーリが固定的に設置され、前記第二プーリと前記第一プーリとの間がベルトにより伝動できるように連結されたことを特徴とする請求項１医用のステンレス鋼線の巻き取り装置。
【請求項８】
前記巻き取り桶送り通路の中には複数個の巻き取り桶がスライドできるように設置され、前記巻き取り桶の中には上下に貫通しているパイプが設置され、前記パイプの右側端壁の中には鋼線入り孔が設置されたことを特徴とする請求項１医用のステンレス鋼線の巻き取り装置。
【発明の詳細な説明】
【技術分野】
【０００１】
本発明は医療機械製造分野を取り上げて、具体的には医用のステンレス鋼線の巻き取り装置である。
【背景技術】
【０００２】
医用のステンレス鋼線は耐久性と耐食性に優れており、金属イオンが全然析出しない性質のため、主に医療機械製造及び食器の製造に用いられ、医用のステンレス鋼線を加工する時に多くの問題が存在しており、特に医用のステンレス鋼線を巻き取る時、いつも巻き取りが不均一であるため、製品の合格率が低い現象を起こし、従来の巻き取り設備は自動化程度が低く、巻き取る時に人で協力する必要があり、そこで、上記の問題を改善するために医用のステンレス鋼線の巻き取り装置を設計する必要がある。
【先行技術文献】
【特許文献】
【０００３】
【特許文献１】中国特許出願公開第１０７４１３８４６号明細書
【発明の概要】
【発明が解決しようとする課題】
【０００４】
本発明は医用のステンレス鋼線の巻き取り装置を提供し、従来技術における上記欠点を解消し、設備の実用性を高めることを目的とする。
【課題を解決するための手段】
【０００５】
本発明がその技術問題を解決するために採用した技術プランは：本発明の医用のステンレス鋼線の巻き取り装置は、ボディと前記ボディの中に設置された操作チャンバとを含み、前記操作チャンバの中には巻き取り装置が設置され、前記巻き取り装置は前記操作チャンバの中に回転できるように設置された回転ラックを含み、前記回転ラックの頂壁の中には上方へ開口した巻き取りチャンバが設置され、前記巻き取りチャンバの底壁の中には伝動チャンバが設置され、前記伝動チャンバの端壁の中には引き上げチャンバが設置され、前記引き上げチャンバと前記巻き取りチャンバとの間には第一スプラインスリーブが回転できるように設置され、前記第一スプラインスリーブの中には第一スプライン軸がスプラインにより連結され、前記第一スプライン軸が前記第一スプラインスリーブの回転とともに同時に上下に移動し、これによりステンレス鋼線の巻き取りを実現し、
前記操作チャンバの右側端壁の中には外部に連通した連通溝が設置され、前記連通溝の中には前記巻き取り装置にステンレス鋼線を輸送する鋼線輸送装置が設置され、前記鋼線輸送装置は前記連通溝の中に設置されたスライドできるガイドロッドを含み、前記ガイドロッドの中には鋼線通し孔が設置され、前記鋼線通し孔の上下端壁の中には片方向だけへ回転できるローラが対称的に設置され、前記鋼線輸送装置が鋼線を輸送することに便利を与え、
前記鋼線輸送装置の底壁の中にはステンレス鋼線を切断できる鋼線切断装置が設置され、前記回転ラックが半周回転する時に前記鋼線切断装置を連動させて鋼線を切断させ、前記回転ラックが一周回転する時に前記鋼線輸送装置を連動させて鋼線を輸送させ、
前記操作チャンバの底壁の中には巻き取った完成品を輸送する完成品送り装置が設置され、前記回転ラックが回転して巻き取った完成品を連動させて前記完成品送り装置の中に設置された伝送ベルトに落として設備の外部まで送り出し、前記操作チャンバの左側端壁の中にはスライドチャンバが設置され、前記スライドチャンバの中には動力を切り換えることができる切換装置が設置され、前記完成品送り装置が回転して前記切換装置を連動させて作動させ、これにより前記巻き取り装置と前記回転ラックとの間の駆動動力を切り換える。
【０００６】
好ましくは、前記巻き取り装置はまた前記スプライン軸の底壁の中に回転できるように連結された引き上げラックを含み、前記引き上げラックの中には左右に貫通している長孔が設置され、前記引き上げチャンバの左側には前記伝動チャンバを貫通している第一回転軸が回転できるように設置され、前記引き上げチャンバの中の前記第一回転軸の末端には回転ロッドが固定的に設置され、前記回転ロッドの右側端壁には前記長孔にスライドできるように設置されたリミットブロックが固定的に設置され、前記伝動チャンバの中の前記第一回転軸の外面には第一ベベルギヤが固定的に設置され、前記第一スプラインスリーブの外面には前記第一ベベルギヤと噛み合っている第二ベベルギヤが固定的に設置され、前記第一回転軸の左側末端には第二スプラインスリーブが固定的に設置され、前記第一スプライン軸の外面には前記巻き取りチャンバの中にスライドできるように設置された阻み板が固定的に設置され、前記第一スプライン軸の頂部には左右に貫通している挟持孔が設置され、前記挟持孔の上下端壁の中には開口が向き合っている第一スライド孔が設置され、前記第一スライド孔の中には第一スライドロッドがスライドできるように設置され、前記第一スライドロッドと前記第一スライド孔の端壁との間には第一バネが弾性を持つように設置され、前記巻き取りチャンバの右側端壁の中には抜き孔が設置された。
【０００７】
好ましくは、前記鋼線輸送装置はまた前記鋼線通し孔の上下端壁の中に対称的に設置された弾力チャンバを含み、前記弾力チャンバの中には挟持ブロックがスライドできるように設置され、前記挟持ブロックと前記弾力チャンバの端壁との間には第二バネが弾性を持つように設置され、前記挟持ブロックの中にはローラチャンバが設置され、前記ローラチャンバの左右端壁の中にはラチェット歯止めチャンバが設置され、左右二つの前記ラチェット歯止めチャンバの間には第二回転軸が回転できるように設置され、前記ラチェット歯止めチャンバの中の前記第二回転軸の末端には前記ラチェット歯止めチャンバと協働するラチェットギヤが固定的に設置され、前記ローラが前記ローラチャンバの中の前記第二回転軸の外面に固定的に設置され、前記ガイドロッドと前記連通溝の頂壁との間には第一復帰装置が弾性を持つように設置され、前記連通溝の底壁の中にはギヤチャンバが設置され、前記ギヤチャンバの中には第三回転軸が回転できるように設置され、前記第三回転軸の外面には、前記ガイドロッドの底壁に固定的に設置された第一ラックと噛み合っているセクタギヤと、前記セクタギヤの前側に位置しているウォームホイールとが固定的に設置された。
【０００８】
好ましくは、前記鋼線切断装置はカムチャンバを含み、前記カムチャンバの中には阻みブロックがスライドできるように設置され、前記カムチャンバの頂壁の中には前記連通溝に連通しているガイドスライド孔が設置され、前記ガイドスライド孔の中には切断ナイフがスライドできるように設置され、前記阻みブロックと前記カムチャンバの頂壁との間には第三バネが弾性を持つように設置され、前記カムチャンバの右側端壁の中には噛み合いチャンバが設置され、前記噛み合いチャンバと前記カムチャンバとの間には前記回転ラックと固定的に連結された第四回転軸が回転できるように設置され、前記カムチャンバの中の前記第四回転軸の外面にはカムが固定的に設置され、前記噛み合いチャンバの中の前記第四回転軸の末端には第三ベベルギヤが固定的に設置された。
【０００９】
好ましくは、前記噛み合いチャンバと前記ギヤチャンバとの間にはロックチャンバが設置され、前記ロックチャンバと前記噛み合いチャンバとの間には前記ウォームホイールと噛み合っているウォームが回転できるように設置され、前記ロックチャンバの中の前記ウォームの外面にはロックギヤが固定的に設置され、前記噛み合いチャンバの頂壁の中には第五回転軸が回転できるように設置され、前記第五回転軸の末端には前記第三ベベルギヤと噛み合っている第四ベベルギヤが固定的に設置され、前記ウォームと前記第五回転軸との間には捻りバネが弾性を持つように設置され、前記カムチャンバの右側端壁の中には第二スライド孔が設置され、前記第二スライド孔の中には第二ラックがスライドできるように設置され、前記ロックチャンバの左側端壁の中には第三スライド孔が設置され、前記第三スライド孔の中には第三ラックがスライドできるように設置され、前記第三ラックと前記第三スライド孔の頂壁との間には第二復帰装置が弾性を持つように設置され、前記第二スライド孔と前記第三スライド孔との間には空きチャンバが設置され、前記空きチャンバの中には前記第二ラックと第三ラックと噛み合っている第一ギヤが回転できるように設置された。
【００１０】
好ましくは、前記完成品送り装置は前記ボディの中に設置された後方へ開口した伝送チャンバを含み、前記伝送チャンバの左側端壁の中にはベルトチャンバが設置され、前記伝送チャンバの中には前後対称の第六回転軸がスライドできるように設置され、前記伝送チャンバの中の前記第六回転軸の外面には伝送輪が固定的に設置され、前後二つの前記伝送輪の間が前記伝送ベルトにより伝動できるように連結され、前側の前記第六回転軸の末端が前記ベルトチャンバの中に伸びており、且つ前側の前記第六回転軸の末端には第一プーリが固定的に設置され、前記第一プーリと前記伝送輪との間にはラチェットギヤ装置が設置され、前記伝送チャンバの頂壁の中には前記ボディを貫通している巻き取り桶送り通路が設置された。
【００１１】
好ましくは、前記切換装置は前記スライドチャンバの中にスライドできるように設置されたスライドラックを含み、前記スライドラックの中には左右に貫通しているネジ山孔が設置され、前記ネジ山孔の中にはネジ山ロッドがネジ山により連結され、前記ネジ山ロッドの左側末端が前記ベルトチャンバの左側端壁の中に固定的に設置された第一モータと動力が伝達できるように連結され、前記スライドラックの中には第二モータが固定的に設置され、前記第二モータの主軸の右側末端には第二スプライン軸が固定的に連結され、前記第二モータの主軸の左側末端には第二ギヤが固定的に装着され、前記スライドチャンバと前記操作チャンバとの間には前記回転ラックと固定的に連結された第七回転軸が回転できるように設置され、前記スライドチャンバの中の前記第七回転軸の末端には第三ギヤが固定的に設置され、前記ベルトチャンバの中の前記第七回転軸の末端には第二プーリが固定的に設置され、前記第二プーリと前記第一プーリとの間がベルトにより伝動できるように連結された。
【００１２】
好ましくは、前記巻き取り桶送り通路の中には複数個の巻き取り桶がスライドできるように設置され、前記巻き取り桶の中には上下に貫通しているパイプが設置され、前記パイプの右側端壁の中には鋼線入り孔が設置された。
【発明の効果】
【００１３】
本発明の有益効果は：本発明が提供した医用のステンレス鋼線の巻き取り装置は、自動的にステンレス鋼線を巻き軸に巻くことができ、同時に巻き取る時に前記巻き軸を連動させて上下へ移動させ、巻き取りをもっと均一にし、また設備は自動的に鋼線を切断でき、同時に設備は自動的に鋼線を輸送でき、便利で効率的であり、設備の中には完成品送り装置が設置され、巻き取った巻き軸を設備の外部まで送ることができ、自動化程度が高く、普及する価値がある。  
【図面の簡単な説明】
【００１４】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の医用のステンレス鋼線の巻き取り装置の全体構成模式図
【図２】図２は図１の中のＡの拡大構成模式図
【図３】図３は図１の中のＢの拡大構成模式図
【図４】図４は図１の中のＣの拡大構成模式図
【図５】図５は図１の中のＤ―Ｄの構成模式図
【図６】図６は図１の中のＥ―Ｅの構成模式図
【図７】図７は図３の中のＦ―Ｆの構成模式図
【発明を実施するための形態】
【００１６】
図１〜７を参照し、本発明の医用のステンレス鋼線の巻き取り装置は、ボディ１０と前記ボディ１０の中に設置された操作チャンバ２６とを含み、前記操作チャンバ２６の中には巻き取り装置２００が設置され、前記巻き取り装置２００は前記操作チャンバ２６の中に回転できるように設置された回転ラック２４を含み、前記回転ラック２４の頂壁の中には上方へ開口した巻き取りチャンバ１５が設置され、前記巻き取りチャンバ１５の底壁の中には伝動チャンバ２７が設置され、前記伝動チャンバ２７の端壁の中には引き上げチャンバ２５が設置され、前記引き上げチャンバ２５と前記巻き取りチャンバ１５との間には第一スプラインスリーブ４３が回転できるように設置され、前記第一スプラインスリーブ４３の中には第一スプライン軸５０がスプラインにより連結され、前記第一スプライン軸５０が前記第一スプラインスリーブ４３の回転とともに同時に上下に移動し、これによりステンレス鋼線の巻き取りを実現し、
前記操作チャンバ２６の右側端壁の中には外部に連通した連通溝１７が設置され、前記連通溝１７の中には前記巻き取り装置２００にステンレス鋼線を輸送する鋼線輸送装置３００が設置され、前記鋼線輸送装置３００は前記連通溝１７の中に設置されたスライドできるガイドロッド７３を含み、前記ガイドロッド７３の中には鋼線通し孔９９が設置され、前記鋼線通し孔９９の上下端壁の中には片方向だけへ回転できるローラ７８が対称的に設置され、前記鋼線輸送装置３００が鋼線を輸送することに便利を与え、
前記鋼線輸送装置３００の底壁の中にはステンレス鋼線を切断できる鋼線切断装置４００が設置され、前記回転ラック２４が半周回転する時に前記鋼線切断装置４００を連動させて鋼線を切断させ、前記回転ラック２４が一周回転する時に前記鋼線輸送装置３００を連動させて鋼線を輸送させ、
前記操作チャンバ２６の底壁の中には巻き取った完成品を輸送する完成品送り装置５００が設置され、前記回転ラック２４が回転して巻き取った完成品を連動させて前記完成品送り装置５００の中に設置された伝送ベルト８１に落として設備の外部まで送り出し、前記操作チャンバ２６の左側端壁の中にはスライドチャンバ４３が設置され、前記スライドチャンバ４３の中には動力を切り換えることができる切換装置６００が設置され、前記完成品送り装置５００が回転して前記切換装置６００を連動させて作動させ、これにより前記巻き取り装置２００と前記回転ラック２４との間の駆動動力を切り換える。
【００１７】
有益的には、前記巻き取り装置２００はまた前記スプライン軸５０の底壁の中に回転できるように連結された引き上げラック８６を含み、前記引き上げラック８６の中には左右に貫通している長孔８５が設置され、前記引き上げチャンバ２５の左側には前記伝動チャンバ２７を貫通している第一回転軸２３が回転できるように設置され、前記引き上げチャンバ２５の中の前記第一回転軸２３の末端には回転ロッド８４が固定的に設置され、前記回転ロッド８４の右側端壁には前記長孔８５にスライドできるように設置されたリミットブロック９０が固定的に設置され、前記伝動チャンバ２７の中の前記第一回転軸２３の外面には第一ベベルギヤ２８が固定的に設置され、前記第一スプラインスリーブ４３の外面には前記第一ベベルギヤ２８と噛み合っている第二ベベルギヤ４２が固定的に設置され、前記第一回転軸２３の左側末端には第二スプラインスリーブ２２が固定的に設置され、前記第一スプライン軸５０の外面には前記巻き取りチャンバ１５の中にスライドできるように設置された阻み板４５が固定的に設置され、前記第一スプライン軸５０の頂部には左右に貫通している挟持孔４６が設置され、前記挟持孔４６の上下端壁の中には開口が向き合っている第一スライド孔４９が設置され、前記第一スライド孔４９の中には第一スライドロッド４７がスライドできるように設置され、前記第一スライドロッド４７と前記第一スライド孔４９の端壁との間には第一バネ４８が弾性を持つように設置され、前記巻き取りチャンバ１５の右側端壁の中には抜き孔１６が設置された。
【００１８】
有益的には、前記鋼線輸送装置３００はまた前記鋼線通し孔９９の上下端壁の中に対称的に設置された弾力チャンバ７５を含み、前記弾力チャンバ７５の中には挟持ブロック７６がスライドできるように設置され、前記挟持ブロック７６と前記弾力チャンバ７５の端壁との間には第二バネ７４が弾性を持つように設置され、前記挟持ブロック７６の中にはローラチャンバ７７が設置され、前記ローラチャンバ７７の左右端壁の中にはラチェット歯止めチャンバ８９が設置され、左右二つの前記ラチェット歯止めチャンバ８９の間には第二回転軸８７が回転できるように設置され、前記ラチェット歯止めチャンバ８９の中の前記第二回転軸８７の末端には前記ラチェット歯止めチャンバ８９と協働するラチェットギヤ８８が固定的に設置され、前記ローラ７８が前記ローラチャンバ７７の中の前記第二回転軸８７の外面に固定的に設置され、前記ガイドロッド７３と前記連通溝１７の頂壁との間には第一復帰装置９１が弾性を持つように設置され、前記連通溝１７の底壁の中にはギヤチャンバ２０が設置され、前記ギヤチャンバ２０の中には第三回転軸１８が回転できるように設置され、前記第三回転軸１８の外面には、前記ガイドロッド７１の底壁に固定的に設置された第一ラック９２と噛み合っているセクタギヤ２１と、前記セクタギヤ２１の前側に位置しているウォームホイール１９とが固定的に設置された。
【００１９】
有益的には、前記鋼線切断装置４００はカムチャンバ５７を含み、前記カムチャンバ５７の中には阻みブロック５４がスライドできるように設置され、前記カムチャンバ５７の頂壁の中には前記連通溝１７に連通しているガイドスライド孔５２が設置され、前記ガイドスライド孔５２の中には切断ナイフ５１がスライドできるように設置され、前記阻みブロック５４と前記カムチャンバ５７の頂壁との間には第三バネ５３が弾性を持つように設置され、前記カムチャンバ５７の右側端壁の中には噛み合いチャンバ６０が設置され、前記噛み合いチャンバ６０と前記カムチャンバ５７との間には前記回転ラック２４と固定的に連結された第四回転軸５５が回転できるように設置され、前記カムチャンバ５７の中の前記第四回転軸５５の外面にはカム５６が固定的に設置され、前記噛み合いチャンバ６０の中の前記第四回転軸５５の末端には第三ベベルギヤ６１が固定的に設置された。
【００２０】
有益的には、前記噛み合いチャンバ６０と前記ギヤチャンバ２０との間にはロックチャンバ６９が設置され、前記ロックチャンバ６９と前記噛み合いチャンバ６０との間には前記ウォームホイール１９と噛み合っているウォーム６８が回転できるように設置され、前記ロックチャンバ６９の中の前記ウォーム６８の外面にはロックギヤ６７が固定的に設置され、前記噛み合いチャンバ６０の頂壁の中には第五回転軸６３が回転できるように設置され、前記第五回転軸６３の末端には前記第三ベベルギヤ６１と噛み合っている第四ベベルギヤ６２が固定的に設置され、前記ウォーム６８と前記第五回転軸６３との間には捻りバネ６４が弾性を持つように設置され、前記カムチャンバ５７の右側端壁の中には第二スライド孔５９が設置され、前記第二スライド孔５９の中には第二ラック５８がスライドできるように設置され、前記ロックチャンバ６９の左側端壁の中には第三スライド孔７０が設置され、前記第三スライド孔７０の中には第三ラック７２がスライドできるように設置され、前記第三ラック７２と前記第三スライド孔７０の頂壁との間には第二復帰装置７１が弾性を持つように設置され、前記第二スライド孔５９と前記第三スライド孔７０との間には空きチャンバ６５が設置され、前記空きチャンバ６５の中には前記第二ラック５８と第三ラック７２と噛み合っている第一ギヤ６６が回転できるように設置された。
【００２１】
有益的には、前記完成品送り装置５００は前記ボディ１０の中に設置された後方へ開口した伝送チャンバ８２を含み、前記伝送チャンバ８２の左側端壁の中にはベルトチャンバ３２が設置され、前記伝送チャンバ８２の中には前後対称の第六回転軸２９がスライドできるように設置され、前記伝送チャンバ８２の中の前記第六回転軸２９の外面には伝送輪８０が固定的に設置され、前後二つの前記伝送輪８０の間が前記伝送ベルト８１により伝動できるように連結され、前側の前記第六回転軸２９の末端が前記ベルトチャンバ３２の中に伸びており、且つ前側の前記第六回転軸２９の末端には第一プーリ３１が固定的に設置され、前記第一プーリ３１と前記伝送輪８０との間にはラチェットギヤ装置９５が設置され、前記伝送チャンバ８２の頂壁の中には前記ボディ１０を貫通している巻き取り桶送り通路１１が設置された。
【００２２】
有益的には、前記切換装置６００は前記スライドチャンバ４３の中にスライドできるように設置されたスライドラック３５を含み、前記スライドラック３５の中には左右に貫通しているネジ山孔３９が設置され、前記ネジ山孔３９の中にはネジ山ロッド４０がネジ山により連結され、前記ネジ山ロッド４０の左側末端が前記ベルトチャンバ３２の左側端壁の中に固定的に設置された第一モータ４１と動力が伝達できるように連結され、前記スライドラック３５の中には第二モータ３４が固定的に設置され、前記第二モータ３４の主軸の右側末端には第二スプライン軸３３が固定的に連結され、前記第二モータ３４の主軸の左側末端には第二ギヤ９３が固定的に装着され、前記スライドチャンバ４３と前記操作チャンバ２６との間には前記回転ラック２４と固定的に連結された第七回転軸３７が回転できるように設置され、前記スライドチャンバ４３の中の前記第七回転軸３７の末端には第三ギヤ３７が固定的に設置され、前記ベルトチャンバ３２の中の前記第七回転軸３７の末端には第二プーリ３８が固定的に設置され、前記第二プーリ３８と前記第一プーリ３１との間がベルト３０により伝動できるように連結された。
【００２３】
有益的には、前記巻き取り桶送り通路１１の中には複数個の巻き取り桶１２がスライドできるように設置され、前記巻き取り桶１２の中には上下に貫通しているパイプ１３が設置され、前記パイプ１３の右側端壁の中には鋼線入り孔１４が設置された。
【００２４】
本実施例の前記固定連結方法はボルト固定と溶接などの方法を含むが、これらに限定されない。
【００２５】
装置全体の機械動作の順序は：
【００２６】
１．前記巻き取り桶１２を図に示すように前記巻き取り桶送り通路１１の中に置き、この時、前記第二モータ３４を始動して回転させ、これにより前記第二スプライン軸３３を連動させて回転させ、これにより前記第二スプラインスリーブ２２を連動させて回転させ、これにより前記第二ベベルギヤ２８を連動させて回転させ、これにより前記第一ベベルギヤ４２を連動させて回転させ、これにより前記第一スプラインスリーブ４４と前記第一スプライン軸５０とを連動させて回転させ、これにより前記巻き取り桶１２を連動させて回転させ、同時に前記第二スプラインスリーブ２２が回転して前記回転ロッド８４を連動させて回転させ、これにより前記引き上げラック８６を連動させて上下へ移動させ、これにより前記第一スプライン軸５０を連動させて上下へ移動させ、この時、前記巻き取り桶１２がステンレス鋼線を前記巻き取り桶１２の外面に巻き取る。
【００２７】
２．巻き取りが完成した後、前記第一モータ４１を始動して回転させ、これにより前記ネジ山ロッド４０を連動させて回転させ、この時、前記スライドラック３５が左方へ移動し、これにより前記第二ギヤ９３を連動させて前記第三ギヤ３７と噛み合わせ、この時、前記第二プーリ３８が回転して前記第一プーリ３１を連動させて回転させ、前記ラチェットギヤ装置９５の片方向伝送性質のため、前記伝動輪８０が回転できない。
【００２８】
３．この時、前記第二モータ３４を始動して回転させ、これにより前記回転ラック２４を連動させて回転させ、これにより前記カム５６を連動させて回転させ、前記カム５６が半周回転する時、前記阻みブロック５４が頂点位置まで上方へ移動し、この時、前記切断ナイフ５１がステンレス鋼線を切断し、同時に前記阻みブロック５４が上方へ移動する時、前記第二ラック５８が当接を失って左方へ移動し、これにより前記第三ラック７２を連動させて右方へ移動させ、これにより前記ロックギヤ６７をロックし、この時、前記回転ラック２４が回転して前記第三ベベルギヤ６１を連動させて回転させ、これにより前記第四ベベルギヤ６２を連動させて回転させ、これにより前記捻りバネ６４を連動させて弾性エネルギーを蓄積させ、同時にこの時、前記巻き取りチャンバ１５が前記伝送チャンバ８２に連通し、この時、巻き取ったステンレス鋼線が前記伝送ベルト８１の上方に落ちる。
【００２９】
４．前記回転ラック２４が回転し続け、前記回転ラック２４が一周回転する時、前記巻き取り桶１２が前記巻き取りチャンバ１５の中に落ち、同時に前記阻みブロック５４が下方へ移動して前記第二ラック５８に当接し、前記第二ラック５８が右方へ移動して前記第三ラック７２を連動させて左方へ移動させ、これにより前記第三ラック７２を連動させて移動させて前記ロックギヤ６７から出させ、この時、前記ロックギヤ６７が前記捻りバネ６４の作用のもとで回転し、これにより前記ウォーム６８を連動させて回転させ、これにより前記ウォームホイール１９を連動させて回転させ、これにより前記セクタギヤ２１を連動させて回転させ、これにより前記ガイドロッド７３を連動させて左方へ移動させて前記鋼線入り孔１４の中に挿入し、この時、前記第一スライドロッド４７が上下両側へ移動し、前記セクタギヤ２１が回転し続け、前記セクタギヤ２１が前記第一ラック９２から離脱する時、前記ガイドロッド７３が前記第一復帰装置９１の作用のもとで復帰し、この時、上下二つの前記第一スライドロッド４７がステンレス鋼線をしっかりと挟む。
【００３０】
５．前記第一モータ４１を始動して逆方向へ回転させ、これにより前記スライドラック３５を連動させて右方へ移動させ、これにより前記第二スプライン軸３３を連動させて前記第二スプラインスリーブ２２に入らせ、同時に前記第二プーリ３８が逆方向へ回転して前記第一プーリ３１を連動させて回転させ、これにより前記伝送輪８０を連動させて回転させ、これにより前記伝送輪８１を連動させて移動させて巻き取ったステンレス鋼線を設備の外部まで送り出す。
【００３１】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020196042.tif 000003
【図２】
2020196042.tif 000004
【図３】
2020196042.tif 000005
【図４】
2020196042.tif 000006
【図５】
2020196042.tif 000007
【図６】
2020196042.tif 000008
【図７】
2020196042.tif 000009
【手続補正書】
【提出日】令和2年1月8日(2020.1.8)
【手続補正１】
【補正対象書類名】特許請求の範囲
【補正対象項目名】全文
【補正方法】変更
【補正の内容】
【特許請求の範囲】
【請求項１】
正面視で、ボディと前記ボディの中に設置された操作チャンバとを含み、前記操作チャンバの中には巻き取り装置が設置され、前記巻き取り装置は前記操作チャンバの中に回転できるように設置された回転ラックを含み、前記回転ラックの頂壁の中には上方へ開口した巻き取りチャンバが設置され、前記巻き取りチャンバの底壁の中には伝動チャンバが設置され、前記伝動チャンバの端壁の中には引き上げチャンバが設置され、前記引き上げチャンバと前記巻き取りチャンバとの間には第一スプラインスリーブが回転できるように設置され、前記第一スプラインスリーブの中には第一スプライン軸がスプラインにより連結され、前記第一スプライン軸が前記第一スプラインスリーブの回転とともに同時に上下に移動し、これによりステンレス鋼線の巻き取りを実現し、
前記操作チャンバの右側端壁の中には外部に連通した連通溝が設置され、前記連通溝の中には前記巻き取り装置にステンレス鋼線を輸送する鋼線輸送装置が設置され、前記鋼線輸送装置は前記連通溝の中に設置されたスライドできるガイドロッドを含み、前記ガイドロッドの中には鋼線通し孔が設置され、前記鋼線通し孔の上下端壁の中には片方向だけへ回転できるローラが対称的に設置され、前記鋼線輸送装置は前記ローラが片方向しか回転できないことを利用して鋼線を輸送することに便利を与え、
前記鋼線輸送装置の底壁の中にはステンレス鋼線を切断できる鋼線切断装置が設置され、前記回転ラックが半周回転する時に前記鋼線切断装置を連動させて鋼線を切断させ、前記回転ラックが一周回転する時に前記鋼線輸送装置を連動させて鋼線を輸送させ、
前記操作チャンバの底壁の中には巻き取った完成品を輸送する完成品送り装置が設置され、前記回転ラックが回転して巻き取った完成品を連動させて前記完成品送り装置の中に設置された伝送ベルトに落として設備の外部まで送り出し、前記操作チャンバの左側端壁の中にはスライドチャンバが設置され、前記スライドチャンバの中には動力を切り換えることができる切換装置が設置され、前記完成品送り装置が回転して前記切換装置を連動させて作動させ、これにより前記巻き取り装置と前記回転ラックとの間の駆動動力を切り換えることを特徴とする医用のステンレス鋼線の巻き取り装置。
【請求項２】
前記巻き取り装置はまた前記第一スプライン軸の底壁の中に回転できるように連結された引き上げラックを含み、前記引き上げラックの中には左右に貫通している長孔が設置され、前記引き上げチャンバの左側には前記伝動チャンバを貫通している第一回転軸が回転できるように設置され、前記引き上げチャンバの中の前記第一回転軸の末端には回転ロッドが固定的に設置され、前記回転ロッドの右側端壁には前記長孔にスライドできるように設置されたリミットブロックが固定的に設置され、前記伝動チャンバの中の前記第一回転軸の外面には第一ベベルギヤが固定的に設置され、前記第一スプラインスリーブの外面には前記第一ベベルギヤと噛み合っている第二ベベルギヤが固定的に設置され、前記第一回転軸の左側末端には第二スプラインスリーブが固定的に設置され、前記第一スプライン軸の外面には前記巻き取りチャンバの中にスライドできるように設置された阻み板が固定的に設置され、前記第一スプライン軸の頂部には左右に貫通している挟持孔が設置され、前記挟持孔の上下端壁の中には開口が向き合っている第一スライド孔が設置され、前記第一スライド孔の中には第一スライドロッドがスライドできるように設置され、前記第一スライドロッドと前記第一スライド孔の端壁との間には第一バネが弾性を持つように設置され、前記巻き取りチャンバの右側端壁の中には抜き孔が設置されたことを特徴とする請求項１に記載の医用のステンレス鋼線の巻き取り装置。
【請求項３】
前記鋼線輸送装置はまた前記鋼線通し孔の上下端壁の中に対称的に設置された弾力チャンバを含み、前記弾力チャンバの中には挟持ブロックがスライドできるように設置され、前記挟持ブロックと前記弾力チャンバの端壁との間には第二バネが弾性を持つように設置され、前記挟持ブロックの中にはローラチャンバが設置され、前記ローラチャンバの左右端壁の中にはラチェット歯止めチャンバが設置され、左右二つの前記ラチェット歯止めチャンバの間には第二回転軸が回転できるように設置され、前記ラチェット歯止めチャンバの中の前記第二回転軸の末端には前記ラチェット歯止めチャンバと協働するラチェットギヤが固定的に設置され、前記ローラが前記ローラチャンバの中の前記第二回転軸の外面に固定的に設置され、前記ガイドロッドと前記連通溝の頂壁との間には第一復帰装置が弾性を持つように設置され、前記連通溝の底壁の中にはギヤチャンバが設置され、前記ギヤチャンバの中には第三回転軸が回転できるように設置され、前記第三回転軸の外面には、前記ガイドロッドの底壁に固定的に設置された第一ラックと噛み合っているセクタギヤと、前記セクタギヤの前側に位置しているウォームホイールとが固定的に設置されたことを特徴とする請求項１に記載の医用のステンレス鋼線の巻き取り装置。
【請求項４】
前記鋼線切断装置はカムチャンバを含み、前記カムチャンバの中には阻みブロックがスライドできるように設置され、前記カムチャンバの頂壁の中には前記連通溝に連通しているガイドスライド孔が設置され、前記ガイドスライド孔の中には切断ナイフがスライドできるように設置され、前記阻みブロックと前記カムチャンバの頂壁との間には第三バネが弾性を持つように設置され、前記カムチャンバの右側端壁の中には噛み合いチャンバが設置され、前記噛み合いチャンバと前記カムチャンバとの間には前記回転ラックと固定的に連結された第四回転軸が回転できるように設置され、前記カムチャンバの中の前記第四回転軸の外面にはカムが固定的に設置され、前記噛み合いチャンバの中の前記第四回転軸の末端には第三ベベルギヤが固定的に設置されたことを特徴とする請求項１に記載の医用のステンレス鋼線の巻き取り装置。
【請求項５】
前記噛み合いチャンバと前記ギヤチャンバとの間にはロックチャンバが設置され、前記ロックチャンバと前記噛み合いチャンバとの間には前記ウォームホイールと噛み合っているウォームが回転できるように設置され、前記ロックチャンバの中の前記ウォームの外面にはロックギヤが固定的に設置され、前記噛み合いチャンバの頂壁の中には第五回転軸が回転できるように設置され、前記第五回転軸の末端には前記第三ベベルギヤと噛み合っている第四ベベルギヤが固定的に設置され、前記ウォームと前記第五回転軸との間には捻りバネが弾性を持つように設置され、前記カムチャンバの右側端壁の中には第二スライド孔が設置され、前記第二スライド孔の中には第二ラックがスライドできるように設置され、前記ロックチャンバの左側端壁の中には第三スライド孔が設置され、前記第三スライド孔の中には第三ラックがスライドできるように設置され、前記第三ラックと前記第三スライド孔の頂壁との間には第二復帰装置が弾性を持つように設置され、前記第二スライド孔と前記第三スライド孔との間には空きチャンバが設置され、前記空きチャンバの中には前記第二ラックと第三ラックと噛み合っている第一ギヤが回転できるように設置されたことを特徴とする請求項４に記載の医用のステンレス鋼線の巻き取り装置。
【請求項６】
前記完成品送り装置は前記ボディの中に設置された後方へ開口した伝送チャンバを含み、前記伝送チャンバの左側端壁の中にはベルトチャンバが設置され、前記伝送チャンバの中には前後対称の第六回転軸がスライドできるように設置され、前記伝送チャンバの中の前記第六回転軸の外面には伝送輪が固定的に設置され、前後二つの前記伝送輪の間が前記伝送ベルトにより伝動できるように連結され、前側の前記第六回転軸の末端が前記ベルトチャンバの中に伸びており、且つ前側の前記第六回転軸の末端には第一プーリが固定的に設置され、前記第一プーリと前記伝送輪との間にはラチェットギヤ装置が設置され、前記伝送チャンバの頂壁の中には前記ボディを貫通している巻き取り桶送り通路が設置されたことを特徴とする請求項１に記載の医用のステンレス鋼線の巻き取り装置。
【請求項７】
前記切換装置は前記スライドチャンバの中にスライドできるように設置されたスライドラックを含み、前記スライドラックの中には左右に貫通しているネジ山孔が設置され、前記ネジ山孔の中にはネジ山ロッドがネジ山により連結され、前記ネジ山ロッドの左側末端が前記ベルトチャンバの左側端壁の中に固定的に設置された第一モータと動力が伝達できるように連結され、前記スライドラックの中には第二モータが固定的に設置され、前記第二モータの主軸の右側末端には第二スプライン軸が固定的に連結され、前記第二モータの主軸の左側末端には第二ギヤが固定的に装着され、前記スライドチャンバと前記操作チャンバとの間には前記回転ラックと固定的に連結された第七回転軸が回転できるように設置され、前記スライドチャンバの中の前記第七回転軸の末端には第三ギヤが固定的に設置され、前記ベルトチャンバの中の前記第七回転軸の末端には第二プーリが固定的に設置され、前記第二プーリと前記第一プーリとの間がベルトにより伝動できるように連結されたことを特徴とする請求項６に記載の医用のステンレス鋼線の巻き取り装置。
【請求項８】
前記巻き取り桶送り通路の中には複数個の巻き取り桶がスライドできるように設置され、前記巻き取り桶の中には上下に貫通しているパイプが設置され、前記パイプの右側端壁の中には鋼線入り孔が設置されたことを特徴とする請求項１に記載の医用のステンレス鋼線の巻き取り装置。
【手続補正２】
【補正対象書類名】明細書
【補正対象項目名】全文
【補正方法】変更
【補正の内容】
【発明の詳細な説明】
【技術分野】
【０００１】
本発明は医療機械製造分野を取り上げて、具体的には医用のステンレス鋼線の巻き取り装置である。
【背景技術】
【０００２】
医用のステンレス鋼線は耐久性と耐食性に優れており、金属イオンが全然析出しない性質のため、主に医療機械製造及び食器の製造に用いられ、医用のステンレス鋼線を加工する時に多くの問題が存在しており、特に医用のステンレス鋼線を巻き取る時、いつも巻き取りが不均一であるため、製品の合格率が低い現象を起こし、従来の巻き取り設備は自動化程度が低く、巻き取る時に人で協力する必要があり、そこで、上記の問題を改善するために医用のステンレス鋼線の巻き取り装置を設計する必要がある。
【先行技術文献】
【特許文献】
【０００３】
【特許文献１】中国特許出願公開第１０７４１３８４６号明細書
【発明の概要】
【発明が解決しようとする課題】
【０００４】
本発明は医用のステンレス鋼線の巻き取り装置を提供し、従来技術における上記欠点を解消し、設備の実用性を高めることを目的とする。
【課題を解決するための手段】
【０００５】
本発明がその技術問題を解決するために採用した技術プランは：本発明の医用のステンレス鋼線の巻き取り装置は、ボディと前記ボディの中に設置された操作チャンバとを含み、前記操作チャンバの中には巻き取り装置が設置され、前記巻き取り装置は前記操作チャンバの中に回転できるように設置された回転ラックを含み、前記回転ラックの頂壁の中には上方へ開口した巻き取りチャンバが設置され、前記巻き取りチャンバの底壁の中には伝動チャンバが設置され、前記伝動チャンバの端壁の中には引き上げチャンバが設置され、前記引き上げチャンバと前記巻き取りチャンバとの間には第一スプラインスリーブが回転できるように設置され、前記第一スプラインスリーブの中には第一スプライン軸がスプラインにより連結され、前記第一スプライン軸が前記第一スプラインスリーブの回転とともに同時に上下に移動し、これによりステンレス鋼線の巻き取りを実現し、
前記操作チャンバの右側端壁の中には外部に連通した連通溝が設置され、前記連通溝の中には前記巻き取り装置にステンレス鋼線を輸送する鋼線輸送装置が設置され、前記鋼線輸送装置は前記連通溝の中に設置されたスライドできるガイドロッドを含み、前記ガイドロッドの中には鋼線通し孔が設置され、前記鋼線通し孔の上下端壁の中には片方向だけへ回転できるローラが対称的に設置され、前記鋼線輸送装置は前記ローラが片方向しか回転できないことを利用して鋼線を輸送することに便利を与え、
前記鋼線輸送装置の底壁の中にはステンレス鋼線を切断できる鋼線切断装置が設置され、前記回転ラックが半周回転する時に前記鋼線切断装置を連動させて鋼線を切断させ、前記回転ラックが一周回転する時に前記鋼線輸送装置を連動させて鋼線を輸送させ、
前記操作チャンバの底壁の中には巻き取った完成品を輸送する完成品送り装置が設置され、前記回転ラックが回転して巻き取った完成品を連動させて前記完成品送り装置の中に設置された伝送ベルトに落として設備の外部まで送り出し、前記操作チャンバの左側端壁の中にはスライドチャンバが設置され、前記スライドチャンバの中には動力を切り換えることができる切換装置が設置され、前記完成品送り装置が回転して前記切換装置を連動させて作動させ、これにより前記巻き取り装置と前記回転ラックとの間の駆動動力を切り換える。
【０００６】
好ましくは、前記巻き取り装置はまた前記第一スプライン軸の底壁の中に回転できるように連結された引き上げラックを含み、前記引き上げラックの中には左右に貫通している長孔が設置され、前記引き上げチャンバの左側には前記伝動チャンバを貫通している第一回転軸が回転できるように設置され、前記引き上げチャンバの中の前記第一回転軸の末端には回転ロッドが固定的に設置され、前記回転ロッドの右側端壁には前記長孔にスライドできるように設置されたリミットブロックが固定的に設置され、前記伝動チャンバの中の前記第一回転軸の外面には第一ベベルギヤが固定的に設置され、前記第一スプラインスリーブの外面には前記第一ベベルギヤと噛み合っている第二ベベルギヤが固定的に設置され、前記第一回転軸の左側末端には第二スプラインスリーブが固定的に設置され、前記第一スプライン軸の外面には前記巻き取りチャンバの中にスライドできるように設置された阻み板が固定的に設置され、前記第一スプライン軸の頂部には左右に貫通している挟持孔が設置され、前記挟持孔の上下端壁の中には開口が向き合っている第一スライド孔が設置され、前記第一スライド孔の中には第一スライドロッドがスライドできるように設置され、前記第一スライドロッドと前記第一スライド孔の端壁との間には第一バネが弾性を持つように設置され、前記巻き取りチャンバの右側端壁の中には抜き孔が設置された。
【０００７】
好ましくは、前記鋼線輸送装置はまた前記鋼線通し孔の上下端壁の中に対称的に設置された弾力チャンバを含み、前記弾力チャンバの中には挟持ブロックがスライドできるように設置され、前記挟持ブロックと前記弾力チャンバの端壁との間には第二バネが弾性を持つように設置され、前記挟持ブロックの中にはローラチャンバが設置され、前記ローラチャンバの左右端壁の中にはラチェット歯止めチャンバが設置され、左右二つの前記ラチェット歯止めチャンバの間には第二回転軸が回転できるように設置され、前記ラチェット歯止めチャンバの中の前記第二回転軸の末端には前記ラチェット歯止めチャンバと協働するラチェットギヤが固定的に設置され、前記ローラが前記ローラチャンバの中の前記第二回転軸の外面に固定的に設置され、前記ガイドロッドと前記連通溝の頂壁との間には第一復帰装置が弾性を持つように設置され、前記連通溝の底壁の中にはギヤチャンバが設置され、前記ギヤチャンバの中には第三回転軸が回転できるように設置され、前記第三回転軸の外面には、前記ガイドロッドの底壁に固定的に設置された第一ラックと噛み合っているセクタギヤと、前記セクタギヤの前側に位置しているウォームホイールとが固定的に設置された。
【０００８】
好ましくは、前記鋼線切断装置はカムチャンバを含み、前記カムチャンバの中には阻みブロックがスライドできるように設置され、前記カムチャンバの頂壁の中には前記連通溝に連通しているガイドスライド孔が設置され、前記ガイドスライド孔の中には切断ナイフがスライドできるように設置され、前記阻みブロックと前記カムチャンバの頂壁との間には第三バネが弾性を持つように設置され、前記カムチャンバの右側端壁の中には噛み合いチャンバが設置され、前記噛み合いチャンバと前記カムチャンバとの間には前記回転ラックと固定的に連結された第四回転軸が回転できるように設置され、前記カムチャンバの中の前記第四回転軸の外面にはカムが固定的に設置され、前記噛み合いチャンバの中の前記第四回転軸の末端には第三ベベルギヤが固定的に設置された。
【０００９】
好ましくは、前記噛み合いチャンバと前記ギヤチャンバとの間にはロックチャンバが設置され、前記ロックチャンバと前記噛み合いチャンバとの間には前記ウォームホイールと噛み合っているウォームが回転できるように設置され、前記ロックチャンバの中の前記ウォームの外面にはロックギヤが固定的に設置され、前記噛み合いチャンバの頂壁の中には第五回転軸が回転できるように設置され、前記第五回転軸の末端には前記第三ベベルギヤと噛み合っている第四ベベルギヤが固定的に設置され、前記ウォームと前記第五回転軸との間には捻りバネが弾性を持つように設置され、前記カムチャンバの右側端壁の中には第二スライド孔が設置され、前記第二スライド孔の中には第二ラックがスライドできるように設置され、前記ロックチャンバの左側端壁の中には第三スライド孔が設置され、前記第三スライド孔の中には第三ラックがスライドできるように設置され、前記第三ラックと前記第三スライド孔の頂壁との間には第二復帰装置が弾性を持つように設置され、前記第二スライド孔と前記第三スライド孔との間には空きチャンバが設置され、前記空きチャンバの中には前記第二ラックと第三ラックと噛み合っている第一ギヤが回転できるように設置された。
【００１０】
好ましくは、前記完成品送り装置は前記ボディの中に設置された後方へ開口した伝送チャンバを含み、前記伝送チャンバの左側端壁の中にはベルトチャンバが設置され、前記伝送チャンバの中には前後対称の第六回転軸がスライドできるように設置され、前記伝送チャンバの中の前記第六回転軸の外面には伝送輪が固定的に設置され、前後二つの前記伝送輪の間が前記伝送ベルトにより伝動できるように連結され、前側の前記第六回転軸の末端が前記ベルトチャンバの中に伸びており、且つ前側の前記第六回転軸の末端には第一プーリが固定的に設置され、前記第一プーリと前記伝送輪との間にはラチェットギヤ装置が設置され、前記伝送チャンバの頂壁の中には前記ボディを貫通している巻き取り桶送り通路が設置された。
【００１１】
好ましくは、前記切換装置は前記スライドチャンバの中にスライドできるように設置されたスライドラックを含み、前記スライドラックの中には左右に貫通しているネジ山孔が設置され、前記ネジ山孔の中にはネジ山ロッドがネジ山により連結され、前記ネジ山ロッドの左側末端が前記ベルトチャンバの左側端壁の中に固定的に設置された第一モータと動力が伝達できるように連結され、前記スライドラックの中には第二モータが固定的に設置され、前記第二モータの主軸の右側末端には第二スプライン軸が固定的に連結され、前記第二モータの主軸の左側末端には第二ギヤが固定的に装着され、前記スライドチャンバと前記操作チャンバとの間には前記回転ラックと固定的に連結された第七回転軸が回転できるように設置され、前記スライドチャンバの中の前記第七回転軸の末端には第三ギヤが固定的に設置され、前記ベルトチャンバの中の前記第七回転軸の末端には第二プーリが固定的に設置され、前記第二プーリと前記第一プーリとの間がベルトにより伝動できるように連結された。
【００１２】
好ましくは、前記巻き取り桶送り通路の中には複数個の巻き取り桶がスライドできるように設置され、前記巻き取り桶の中には上下に貫通しているパイプが設置され、前記パイプの右側端壁の中には鋼線入り孔が設置された。
【発明の効果】
【００１３】
本発明の有益効果は：本発明が提供した医用のステンレス鋼線の巻き取り装置は、自動的にステンレス鋼線を巻き軸に巻くことができ、同時に巻き取る時に前記巻き軸を連動させて上下へ移動させ、巻き取りをもっと均一にし、また設備は自動的に鋼線を切断でき、同時に設備は自動的に鋼線を輸送でき、便利で効率的であり、設備の中には完成品送り装置が設置され、巻き取った巻き軸を設備の外部まで送ることができ、自動化程度が高く、普及する価値がある。  
【図面の簡単な説明】
【００１４】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の医用のステンレス鋼線の巻き取り装置の全体構成模式図
【図２】図２は図１の中のＡの拡大構成模式図
【図３】図３は図１の中のＢの拡大構成模式図
【図４】図４は図１の中のＣの拡大構成模式図
【図５】図５は図１の中のＤ―Ｄの構成模式図
【図６】図６は図１の中のＥ―Ｅの構成模式図
【図７】図７は図３の中のＦ―Ｆの構成模式図
【発明を実施するための形態】
【００１６】
図１〜７を参照し、本発明の医用のステンレス鋼線の巻き取り装置は、ボディ１０と前記ボディ１０の中に設置された操作チャンバ２６とを含み、前記操作チャンバ２６の中には巻き取り装置２００が設置され、前記巻き取り装置２００は前記操作チャンバ２６の中に回転できるように設置された回転ラック２４を含み、前記回転ラック２４の頂壁の中には上方へ開口した巻き取りチャンバ１５が設置され、前記巻き取りチャンバ１５の底壁の中には伝動チャンバ２７が設置され、前記伝動チャンバ２７の端壁の中には引き上げチャンバ２５が設置され、前記引き上げチャンバ２５と前記巻き取りチャンバ１５との間には第一スプラインスリーブ４４が回転できるように設置され、前記第一スプラインスリーブ４４の中には第一スプライン軸５０がスプラインにより連結され、前記第一スプライン軸５０が前記第一スプラインスリーブ４４の回転とともに同時に上下に移動し、これによりステンレス鋼線の巻き取りを実現し、
前記操作チャンバ２６の右側端壁の中には外部に連通した連通溝１７が設置され、前記連通溝１７の中には前記巻き取り装置２００にステンレス鋼線を輸送する鋼線輸送装置３００が設置され、前記鋼線輸送装置３００は前記連通溝１７の中に設置されたスライドできるガイドロッド７３を含み、前記ガイドロッド７３の中には鋼線通し孔９９が設置され、前記鋼線通し孔９９の上下端壁の中には片方向だけへ回転できるローラ７８が対称的に設置され、前記鋼線輸送装置３００は前記ローラ７８が片方向しか回転できないことを利用して鋼線を輸送することに便利を与え、
前記鋼線輸送装置３００の底壁の中にはステンレス鋼線を切断できる鋼線切断装置４００が設置され、前記回転ラック２４が半周回転する時に前記鋼線切断装置４００を連動させて鋼線を切断させ、前記回転ラック２４が一周回転する時に前記鋼線輸送装置３００を連動させて鋼線を輸送させ、
前記操作チャンバ２６の底壁の中には巻き取った完成品を輸送する完成品送り装置５００が設置され、前記回転ラック２４が回転して巻き取った完成品を連動させて前記完成品送り装置５００の中に設置された伝送ベルト８１に落として設備の外部まで送り出し、前記操作チャンバ２６の左側端壁の中にはスライドチャンバ４３が設置され、前記スライドチャンバ４３の中には動力を切り換えることができる切換装置６００が設置され、前記完成品送り装置５００が回転して前記切換装置６００を連動させて作動させ、これにより前記巻き取り装置２００と前記回転ラック２４との間の駆動動力を切り換える。
【００１７】
有益的には、前記巻き取り装置２００はまた前記第一スプライン軸５０の底部に回転できるように連結された引き上げラック８６を含み、前記引き上げラック８６の中には左右に貫通している長孔８５が設置され、前記引き上げチャンバ２５の左側には前記伝動チャンバ２７を貫通している第一回転軸２３が回転できるように設置され、前記引き上げチャンバ２５の中の前記第一回転軸２３の末端には回転ロッド８４が固定的に設置され、前記回転ロッド８４の右側端壁には前記長孔８５にスライドできるように設置されたリミットブロック９０が固定的に設置され、前記伝動チャンバ２７の中の前記第一回転軸２３の外面には第一ベベルギヤ２８が固定的に設置され、前記第一スプラインスリーブ４４の外面には前記第一ベベルギヤ２８と噛み合っている第二ベベルギヤ４２が固定的に設置され、前記第一回転軸２３の左側末端には第二スプラインスリーブ２２が固定的に設置され、前記第一スプライン軸５０の外面には前記巻き取りチャンバ１５の中にスライドできるように設置された阻み板４５が固定的に設置され、前記第一スプライン軸５０の頂部には左右に貫通している挟持孔４６が設置され、前記挟持孔４６の上下端壁の中には開口が向き合っている第一スライド孔４９が設置され、前記第一スライド孔４９の中には第一スライドロッド４７がスライドできるように設置され、前記第一スライドロッド４７と前記第一スライド孔４９の端壁との間には第一バネ４８が弾性を持つように設置され、前記巻き取りチャンバ１５の右側端壁の中には抜き孔１６が設置された。
【００１８】
有益的には、前記鋼線輸送装置３００はまた前記鋼線通し孔９９の上下端壁の中に対称的に設置された弾力チャンバ７５を含み、前記弾力チャンバ７５の中には挟持ブロック７６がスライドできるように設置され、前記挟持ブロック７６と前記弾力チャンバ７５の端壁との間には第二バネ７４が弾性を持つように設置され、前記挟持ブロック７６の中にはローラチャンバ７７が設置され、前記ローラチャンバ７７の左右端壁の中にはラチェット歯止めチャンバ８９が設置され、左右二つの前記ラチェット歯止めチャンバ８９の間には第二回転軸８７が回転できるように設置され、前記ラチェット歯止めチャンバ８９の中の前記第二回転軸８７の末端には前記ラチェット歯止めチャンバ８９と協働するラチェットギヤ８８が固定的に設置され、前記ローラ７８が前記ローラチャンバ７７の中の前記第二回転軸８７の外面に固定的に設置され、前記ガイドロッド７３と前記連通溝１７の頂壁との間には第一復帰装置９１が弾性を持つように設置され、前記連通溝１７の底壁の中にはギヤチャンバ２０が設置され、前記ギヤチャンバ２０の中には第三回転軸１８が回転できるように設置され、前記第三回転軸１８の外面には、前記ガイドロッド７１の底壁に固定的に設置された第一ラック９２と噛み合っているセクタギヤ２１と、前記セクタギヤ２１の前側に位置しているウォームホイール１９とが固定的に設置された。
【００１９】
有益的には、前記鋼線切断装置４００はカムチャンバ５７を含み、前記カムチャンバ５７の中には阻みブロック５４がスライドできるように設置され、前記カムチャンバ５７の頂壁の中には前記連通溝１７に連通しているガイドスライド孔５２が設置され、前記ガイドスライド孔５２の中には切断ナイフ５１がスライドできるように設置され、前記阻みブロック５４と前記カムチャンバ５７の頂壁との間には第三バネ５３が弾性を持つように設置され、前記カムチャンバ５７の右側端壁の中には噛み合いチャンバ６０が設置され、前記噛み合いチャンバ６０と前記カムチャンバ５７との間には前記回転ラック２４と固定的に連結された第四回転軸５５が回転できるように設置され、前記カムチャンバ５７の中の前記第四回転軸５５の外面にはカム５６が固定的に設置され、前記噛み合いチャンバ６０の中の前記第四回転軸５５の末端には第三ベベルギヤ６１が固定的に設置された。
【００２０】
有益的には、前記噛み合いチャンバ６０と前記ギヤチャンバ２０との間にはロックチャンバ６９が設置され、前記ロックチャンバ６９と前記噛み合いチャンバ６０との間には前記ウォームホイール１９と噛み合っているウォーム６８が回転できるように設置され、前記ロックチャンバ６９の中の前記ウォーム６８の外面にはロックギヤ６７が固定的に設置され、前記噛み合いチャンバ６０の頂壁の中には第五回転軸６３が回転できるように設置され、前記第五回転軸６３の末端には前記第三ベベルギヤ６１と噛み合っている第四ベベルギヤ６２が固定的に設置され、前記ウォーム６８と前記第五回転軸６３との間には捻りバネ６４が弾性を持つように設置され、前記カムチャンバ５７の右側端壁の中には第二スライド孔５９が設置され、前記第二スライド孔５９の中には第二ラック５８がスライドできるように設置され、前記ロックチャンバ６９の左側端壁の中には第三スライド孔７０が設置され、前記第三スライド孔７０の中には第三ラック７２がスライドできるように設置され、前記第三ラック７２と前記第三スライド孔７０の頂壁との間には第二復帰装置７１が弾性を持つように設置され、前記第二スライド孔５９と前記第三スライド孔７０との間には空きチャンバ６５が設置され、前記空きチャンバ６５の中には前記第二ラック５８と第三ラック７２と噛み合っている第一ギヤ６６が回転できるように設置された。
【００２１】
有益的には、前記完成品送り装置５００は前記ボディ１０の中に設置された後方へ開口した伝送チャンバ８２を含み、前記伝送チャンバ８２の左側端壁の中にはベルトチャンバ３２が設置され、前記伝送チャンバ８２の中には前後対称の第六回転軸２９がスライドできるように設置され、前記伝送チャンバ８２の中の前記第六回転軸２９の外面には伝送輪８０が固定的に設置され、前後二つの前記伝送輪８０の間が前記伝送ベルト８１により伝動できるように連結され、前側の前記第六回転軸２９の末端が前記ベルトチャンバ３２の中に伸びており、且つ前側の前記第六回転軸２９の末端には第一プーリ３１が固定的に設置され、前記第一プーリ３１と前記伝送輪８０との間にはラチェットギヤ装置９５が設置され、前記伝送チャンバ８２の頂壁の中には前記ボディ１０を貫通している巻き取り桶送り通路１１が設置された。
【００２２】
有益的には、前記切換装置６００は前記スライドチャンバ４３の中にスライドできるように設置されたスライドラック３５を含み、前記スライドラック３５の中には左右に貫通しているネジ山孔３９が設置され、前記ネジ山孔３９の中にはネジ山ロッド４０がネジ山により連結され、前記ネジ山ロッド４０の左側末端が前記ベルトチャンバ３２の左側端壁の中に固定的に設置された第一モータ４１と動力が伝達できるように連結され、前記スライドラック３５の中には第二モータ３４が固定的に設置され、前記第二モータ３４の主軸の右側末端には第二スプライン軸３３が固定的に連結され、前記第二モータ３４の主軸の左側末端には第二ギヤ９３が固定的に装着され、前記スライドチャンバ４３と前記操作チャンバ２６との間には前記回転ラック２４と固定的に連結された第七回転軸３６が回転できるように設置され、前記スライドチャンバ４３の中の前記第七回転軸３６の末端には第三ギヤ３７が固定的に設置され、前記ベルトチャンバ３２の中の前記第七回転軸３６の末端には第二プーリ３８が固定的に設置され、前記第二プーリ３８と前記第一プーリ３１との間がベルト３０により伝動できるように連結された。
【００２３】
有益的には、前記巻き取り桶送り通路１１の中には複数個の巻き取り桶１２がスライドできるように設置され、前記巻き取り桶１２の中には上下に貫通しているパイプ１３が設置され、前記パイプ１３の右側端壁の中には鋼線入り孔１４が設置された。
【００２４】
本実施例の前記固定連結方法はボルト固定と溶接などの方法を含むが、これらに限定されない。
【００２５】
装置全体の機械動作の順序は：
【００２６】
１．前記巻き取り桶１２を図に示すように前記巻き取り桶送り通路１１の中に置き、この時、前記第二モータ３４を始動して回転させ、これにより前記第二スプライン軸３３を連動させて回転させ、これにより前記第二スプラインスリーブ２２を連動させて回転させ、これにより前記第二ベベルギヤ２８を連動させて回転させ、これにより前記第一ベベルギヤ４２を連動させて回転させ、これにより前記第一スプラインスリーブ４４と前記第一スプライン軸５０とを連動させて回転させ、これにより前記巻き取り桶１２を連動させて回転させ、同時に前記第二スプラインスリーブ２２が回転して前記回転ロッド８４を連動させて回転させ、これにより前記引き上げラック８６を連動させて上下へ移動させ、これにより前記第一スプライン軸５０を連動させて上下へ移動させ、この時、前記巻き取り桶１２がステンレス鋼線を前記巻き取り桶１２の外面に巻き取る。
【００２７】
２．巻き取りが完成した後、前記第一モータ４１を始動して回転させ、これにより前記ネジ山ロッド４０を連動させて回転させ、この時、前記スライドラック３５が左方へ移動し、これにより前記第二ギヤ９３を連動させて前記第三ギヤ３７と噛み合わせ、この時、前記第二プーリ３８が回転して前記第一プーリ３１を連動させて回転させ、前記ラチェットギヤ装置９５の片方向伝送性質のため、前記伝動輪８０が回転できない。
【００２８】
３．この時、前記第二モータ３４を始動して回転させ、これにより前記回転ラック２４を連動させて回転させ、これにより前記カム５６を連動させて回転させ、前記カム５６が半周回転する時、前記阻みブロック５４が頂点位置まで上方へ移動し、この時、前記切断ナイフ５１がステンレス鋼線を切断し、同時に前記阻みブロック５４が上方へ移動する時、前記第二ラック５８が当接を失って左方へ移動し、これにより前記第三ラック７２を連動させて右方へ移動させ、これにより前記ロックギヤ６７をロックし、この時、前記回転ラック２４が回転して前記第三ベベルギヤ６１を連動させて回転させ、これにより前記第四ベベルギヤ６２を連動させて回転させ、これにより前記捻りバネ６４を連動させて弾性エネルギーを蓄積させ、同時にこの時、前記巻き取りチャンバ１５が前記伝送チャンバ８２に連通し、この時、巻き取ったステンレス鋼線が前記伝送ベルト８１の上方に落ちる。
【００２９】
４．前記回転ラック２４が回転し続け、前記回転ラック２４が一周回転する時、前記巻き取り桶１２が前記巻き取りチャンバ１５の中に落ち、同時に前記阻みブロック５４が下方へ移動して前記第二ラック５８に当接し、前記第二ラック５８が右方へ移動して前記第三ラック７２を連動させて左方へ移動させ、これにより前記第三ラック７２を連動させて移動させて前記ロックギヤ６７から出させ、この時、前記ロックギヤ６７が前記捻りバネ６４の作用のもとで回転し、これにより前記ウォーム６８を連動させて回転させ、これにより前記ウォームホイール１９を連動させて回転させ、これにより前記セクタギヤ２１を連動させて回転させ、これにより前記ガイドロッド７３を連動させて左方へ移動させて前記鋼線入り孔１４の中に挿入し、この時、前記第一スライドロッド４７が上下両側へ移動し、前記セクタギヤ２１が回転し続け、前記セクタギヤ２１が前記第一ラック９２から離脱する時、前記ガイドロッド７３が前記第一復帰装置９１の作用のもとで復帰し、この時、上下二つの前記第一スライドロッド４７がステンレス鋼線をしっかりと挟む。
【００３０】
５．前記第一モータ４１を始動して逆方向へ回転させ、これにより前記スライドラック３５を連動させて右方へ移動させ、これにより前記第二スプライン軸３３を連動させて前記第二スプラインスリーブ２２に入らせ、同時に前記第二プーリ３８が逆方向へ回転して前記第一プーリ３１を連動させて回転させ、これにより前記伝送輪８０を連動させて回転させ、これにより前記伝送輪８１を連動させて移動させて巻き取ったステンレス鋼線を設備の外部まで送り出す。
【００３１】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【手続補正書】
【提出日】令和2年4月8日(2020.4.8)
【手続補正１】
【補正対象書類名】特許請求の範囲
【補正対象項目名】請求項５
【補正方法】変更
【補正の内容】
【請求項５】
前記噛み合いチャンバと前記ギヤチャンバとの間にはロックチャンバが設置され、前記ロックチャンバと前記噛み合いチャンバとの間には前記ウォームホイールと噛み合っているウォームが回転できるように設置され、前記ロックチャンバの中の前記ウォームの外面にはロックギヤが固定的に設置され、前記噛み合いチャンバの頂壁の中には第五回転軸が回転できるように設置され、前記第五回転軸の末端には前記第三ベベルギヤと噛み合っている第四ベベルギヤが固定的に設置され、前記ウォームと前記第五回転軸との間には捻りバネが弾性を持つように設置され、前記カムチャンバの右側端壁の中には第二スライド孔が設置され、前記第二スライド孔の中には第二ラックがスライドできるように設置され、前記ロックチャンバの左側端壁の中には第三スライド孔が設置され、前記第三スライド孔の中には第三ラックがスライドできるように設置され、前記第三ラックと前記第三スライド孔の頂壁との間には第二復帰装置が弾性を持つように設置され、前記第二スライド孔と前記第三スライド孔との間には空きチャンバが設置され、前記空きチャンバの中には前記第二ラックと第三ラックと噛み合っている第一ギヤが回転できるように設置されたことを特徴とする請求項３に記載の医用のステンレス鋼線の巻き取り装置。
【手続補正２】
【補正対象書類名】明細書
【補正対象項目名】全文
【補正方法】変更
【補正の内容】
【発明の詳細な説明】
【技術分野】
【０００１】
本発明は医療機械製造分野を取り上げて、具体的には医用のステンレス鋼線の巻き取り装置である。
【背景技術】
【０００２】
医用のステンレス鋼線は耐久性と耐食性に優れており、金属イオンが全然析出しない性質のため、主に医療機械製造及び食器の製造に用いられ、医用のステンレス鋼線を加工する時に多くの問題が存在しており、特に医用のステンレス鋼線を巻き取る時、いつも巻き取りが不均一であるため、製品の合格率が低い現象を起こし、従来の巻き取り設備は自動化程度が低く、巻き取る時に人で協力する必要があり、そこで、上記の問題を改善するために医用のステンレス鋼線の巻き取り装置を設計する必要がある。
【先行技術文献】
【特許文献】
【０００３】
【特許文献１】中国特許出願公開第１０７４１３８４６号明細書
【発明の概要】
【発明が解決しようとする課題】
【０００４】
本発明は医用のステンレス鋼線の巻き取り装置を提供し、従来技術における上記欠点を解消し、設備の実用性を高めることを目的とする。
【課題を解決するための手段】
【０００５】
本発明がその技術問題を解決するために採用した技術プランは：本発明の医用のステンレス鋼線の巻き取り装置は、ボディと前記ボディの中に設置された操作チャンバとを含み、前記操作チャンバの中には巻き取り装置が設置され、前記巻き取り装置は前記操作チャンバの中に回転できるように設置された回転ラックを含み、前記回転ラックの頂壁の中には上方へ開口した巻き取りチャンバが設置され、前記巻き取りチャンバの底壁の中には伝動チャンバが設置され、前記伝動チャンバの端壁の中には引き上げチャンバが設置され、前記引き上げチャンバと前記巻き取りチャンバとの間には第一スプラインスリーブが回転できるように設置され、前記第一スプラインスリーブの中には第一スプライン軸がスプラインにより連結され、前記第一スプライン軸が前記第一スプラインスリーブの回転とともに同時に上下に移動し、これによりステンレス鋼線の巻き取りを実現し、
前記操作チャンバの右側端壁の中には外部に連通した連通溝が設置され、前記連通溝の中には前記巻き取り装置にステンレス鋼線を輸送する鋼線輸送装置が設置され、前記鋼線輸送装置は前記連通溝の中に設置されたスライドできるガイドロッドを含み、前記ガイドロッドの中には鋼線通し孔が設置され、前記鋼線通し孔の上下端壁の中には片方向だけへ回転できるローラが対称的に設置され、前記鋼線輸送装置は前記ローラが片方向しか回転できないことを利用して鋼線を輸送することに便利を与え、
前記鋼線輸送装置の底壁の中にはステンレス鋼線を切断できる鋼線切断装置が設置され、前記回転ラックが半周回転する時に前記鋼線切断装置を連動させて鋼線を切断させ、前記回転ラックが一周回転する時に前記鋼線輸送装置を連動させて鋼線を輸送させ、
前記操作チャンバの底壁の中には巻き取った完成品を輸送する完成品送り装置が設置され、前記回転ラックが回転して巻き取った完成品を連動させて前記完成品送り装置の中に設置された伝送ベルトに落として設備の外部まで送り出し、前記操作チャンバの左側端壁の中にはスライドチャンバが設置され、前記スライドチャンバの中には動力を切り換えることができる切換装置が設置され、前記完成品送り装置が回転して前記切換装置を連動させて作動させ、これにより前記巻き取り装置と前記回転ラックとの間の駆動動力を切り換える。
【０００６】
好ましくは、前記巻き取り装置はまた前記第一スプライン軸の底壁の中に回転できるように連結された引き上げラックを含み、前記引き上げラックの中には左右に貫通している長孔が設置され、前記引き上げチャンバの左側には前記伝動チャンバを貫通している第一回転軸が回転できるように設置され、前記引き上げチャンバの中の前記第一回転軸の末端には回転ロッドが固定的に設置され、前記回転ロッドの右側端壁には前記長孔にスライドできるように設置されたリミットブロックが固定的に設置され、前記伝動チャンバの中の前記第一回転軸の外面には第一ベベルギヤが固定的に設置され、前記第一スプラインスリーブの外面には前記第一ベベルギヤと噛み合っている第二ベベルギヤが固定的に設置され、前記第一回転軸の左側末端には第二スプラインスリーブが固定的に設置され、前記第一スプライン軸の外面には前記巻き取りチャンバの中にスライドできるように設置された阻み板が固定的に設置され、前記第一スプライン軸の頂部には左右に貫通している挟持孔が設置され、前記挟持孔の上下端壁の中には開口が向き合っている第一スライド孔が設置され、前記第一スライド孔の中には第一スライドロッドがスライドできるように設置され、前記第一スライドロッドと前記第一スライド孔の端壁との間には第一バネが弾性を持つように設置され、前記巻き取りチャンバの右側端壁の中には抜き孔が設置された。
【０００７】
好ましくは、前記鋼線輸送装置はまた前記鋼線通し孔の上下端壁の中に対称的に設置された弾力チャンバを含み、前記弾力チャンバの中には挟持ブロックがスライドできるように設置され、前記挟持ブロックと前記弾力チャンバの端壁との間には第二バネが弾性を持つように設置され、前記挟持ブロックの中にはローラチャンバが設置され、前記ローラチャンバの左右端壁の中にはラチェット歯止めチャンバが設置され、左右二つの前記ラチェット歯止めチャンバの間には第二回転軸が回転できるように設置され、前記ラチェット歯止めチャンバの中の前記第二回転軸の末端には前記ラチェット歯止めチャンバと協働するラチェットギヤが固定的に設置され、前記ローラが前記ローラチャンバの中の前記第二回転軸の外面に固定的に設置され、前記ガイドロッドと前記連通溝の頂壁との間には第一復帰装置が弾性を持つように設置され、前記連通溝の底壁の中にはギヤチャンバが設置され、前記ギヤチャンバの中には第三回転軸が回転できるように設置され、前記第三回転軸の外面には、前記ガイドロッドの底壁に固定的に設置された第一ラックと噛み合っているセクタギヤと、前記セクタギヤの前側に位置しているウォームホイールとが固定的に設置された。
【０００８】
好ましくは、前記鋼線切断装置はカムチャンバを含み、前記カムチャンバの中には阻みブロックがスライドできるように設置され、前記カムチャンバの頂壁の中には前記連通溝に連通しているガイドスライド孔が設置され、前記ガイドスライド孔の中には切断ナイフがスライドできるように設置され、前記阻みブロックと前記カムチャンバの頂壁との間には第三バネが弾性を持つように設置され、前記カムチャンバの右側端壁の中には噛み合いチャンバが設置され、前記噛み合いチャンバと前記カムチャンバとの間には前記回転ラックと固定的に連結された第四回転軸が回転できるように設置され、前記カムチャンバの中の前記第四回転軸の外面にはカムが固定的に設置され、前記噛み合いチャンバの中の前記第四回転軸の末端には第三ベベルギヤが固定的に設置された。
【０００９】
好ましくは、前記噛み合いチャンバと前記ギヤチャンバとの間にはロックチャンバが設置され、前記ロックチャンバと前記噛み合いチャンバとの間には前記ウォームホイールと噛み合っているウォームが回転できるように設置され、前記ロックチャンバの中の前記ウォームの外面にはロックギヤが固定的に設置され、前記噛み合いチャンバの頂壁の中には第五回転軸が回転できるように設置され、前記第五回転軸の末端には前記第三ベベルギヤと噛み合っている第四ベベルギヤが固定的に設置され、前記ウォームと前記第五回転軸との間には捻りバネが弾性を持つように設置され、前記カムチャンバの右側端壁の中には第二スライド孔が設置され、前記第二スライド孔の中には第二ラックがスライドできるように設置され、前記ロックチャンバの左側端壁の中には第三スライド孔が設置され、前記第三スライド孔の中には第三ラックがスライドできるように設置され、前記第三ラックと前記第三スライド孔の頂壁との間には第二復帰装置が弾性を持つように設置され、前記第二スライド孔と前記第三スライド孔との間には空きチャンバが設置され、前記空きチャンバの中には前記第二ラックと第三ラックと噛み合っている第一ギヤが回転できるように設置された。
【００１０】
好ましくは、前記完成品送り装置は前記ボディの中に設置された後方へ開口した伝送チャンバを含み、前記伝送チャンバの左側端壁の中にはベルトチャンバが設置され、前記伝送チャンバの中には前後対称の第六回転軸がスライドできるように設置され、前記伝送チャンバの中の前記第六回転軸の外面には伝送輪が固定的に設置され、前後二つの前記伝送輪の間が前記伝送ベルトにより伝動できるように連結され、前側の前記第六回転軸の末端が前記ベルトチャンバの中に伸びており、且つ前側の前記第六回転軸の末端には第一プーリが固定的に設置され、前記第一プーリと前記伝送輪との間にはラチェットギヤ装置が設置され、前記伝送チャンバの頂壁の中には前記ボディを貫通している巻き取り桶送り通路が設置された。
【００１１】
好ましくは、前記切換装置は前記スライドチャンバの中にスライドできるように設置されたスライドラックを含み、前記スライドラックの中には左右に貫通しているネジ山孔が設置され、前記ネジ山孔の中にはネジ山ロッドがネジ山により連結され、前記ネジ山ロッドの左側末端が前記ベルトチャンバの左側端壁の中に固定的に設置された第一モータと動力が伝達できるように連結され、前記スライドラックの中には第二モータが固定的に設置され、前記第二モータの主軸の右側末端には第二スプライン軸が固定的に連結され、前記第二モータの主軸の左側末端には第二ギヤが固定的に装着され、前記スライドチャンバと前記操作チャンバとの間には前記回転ラックと固定的に連結された第七回転軸が回転できるように設置され、前記スライドチャンバの中の前記第七回転軸の末端には第三ギヤが固定的に設置され、前記ベルトチャンバの中の前記第七回転軸の末端には第二プーリが固定的に設置され、前記第二プーリと前記第一プーリとの間がベルトにより伝動できるように連結された。
【００１２】
好ましくは、前記巻き取り桶送り通路の中には複数個の巻き取り桶がスライドできるように設置され、前記巻き取り桶の中には上下に貫通しているパイプが設置され、前記パイプの右側端壁の中には鋼線入り孔が設置された。
【発明の効果】
【００１３】
本発明の有益効果は：本発明が提供した医用のステンレス鋼線の巻き取り装置は、自動的にステンレス鋼線を巻き軸に巻くことができ、同時に巻き取る時に前記巻き軸を連動させて上下へ移動させ、巻き取りをもっと均一にし、また設備は自動的に鋼線を切断でき、同時に設備は自動的に鋼線を輸送でき、便利で効率的であり、設備の中には完成品送り装置が設置され、巻き取った巻き軸を設備の外部まで送ることができ、自動化程度が高く、普及する価値がある。  
【図面の簡単な説明】
【００１４】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の医用のステンレス鋼線の巻き取り装置の全体構成模式図
【図２】図２は図１の中のＡの拡大構成模式図
【図３】図３は図１の中のＢの拡大構成模式図
【図４】図４は図１の中のＣの拡大構成模式図
【図５】図５は図１の中のＤ―Ｄの構成模式図
【図６】図６は図１の中のＥ―Ｅの構成模式図
【図７】図７は図３の中のＦ―Ｆの構成模式図
【発明を実施するための形態】
【００１６】
図１〜７を参照し、本発明の医用のステンレス鋼線の巻き取り装置は、ボディ１０と前記ボディ１０の中に設置された操作チャンバ２６とを含み、前記操作チャンバ２６の中には巻き取り装置２００が設置され、前記巻き取り装置２００は前記操作チャンバ２６の中に回転できるように設置された回転ラック２４を含み、前記回転ラック２４の頂壁の中には上方へ開口した巻き取りチャンバ１５が設置され、前記巻き取りチャンバ１５の底壁の中には伝動チャンバ２７が設置され、前記伝動チャンバ２７の端壁の中には引き上げチャンバ２５が設置され、前記引き上げチャンバ２５と前記巻き取りチャンバ１５との間には第一スプラインスリーブ４４が回転できるように設置され、前記第一スプラインスリーブ４４の中には第一スプライン軸５０がスプラインにより連結され、前記第一スプライン軸５０が前記第一スプラインスリーブ４４の回転とともに同時に上下に移動し、これによりステンレス鋼線の巻き取りを実現し、
前記操作チャンバ２６の右側端壁の中には外部に連通した連通溝１７が設置され、前記連通溝１７の中には前記巻き取り装置２００にステンレス鋼線を輸送する鋼線輸送装置３００が設置され、前記鋼線輸送装置３００は前記連通溝１７の中に設置されたスライドできるガイドロッド７３を含み、前記ガイドロッド７３の中には鋼線通し孔９９が設置され、前記鋼線通し孔９９の上下端壁の中には片方向だけへ回転できるローラ７８が対称的に設置され、前記鋼線輸送装置３００は前記ローラ７８が片方向しか回転できないことを利用して鋼線を輸送することに便利を与え、
前記鋼線輸送装置３００の底壁の中にはステンレス鋼線を切断できる鋼線切断装置４００が設置され、前記回転ラック２４が半周回転する時に前記鋼線切断装置４００を連動させて鋼線を切断させ、前記回転ラック２４が一周回転する時に前記鋼線輸送装置３００を連動させて鋼線を輸送させ、
前記操作チャンバ２６の底壁の中には巻き取った完成品を輸送する完成品送り装置５００が設置され、前記回転ラック２４が回転して巻き取った完成品を連動させて前記完成品送り装置５００の中に設置された伝送ベルト８１に落として設備の外部まで送り出し、前記操作チャンバ２６の左側端壁の中にはスライドチャンバ４３が設置され、前記スライドチャンバ４３の中には動力を切り換えることができる切換装置６００が設置され、前記完成品送り装置５００が回転して前記切換装置６００を連動させて作動させ、これにより前記巻き取り装置２００と前記回転ラック２４との間の駆動動力を切り換える。
【００１７】
有益的には、前記巻き取り装置２００はまた前記第一スプライン軸５０の底部に回転できるように連結された引き上げラック８６を含み、前記引き上げラック８６の中には左右に貫通している長孔８５が設置され、前記引き上げチャンバ２５の左側には前記伝動チャンバ２７を貫通している第一回転軸２３が回転できるように設置され、前記引き上げチャンバ２５の中の前記第一回転軸２３の末端には回転ロッド８４が固定的に設置され、前記回転ロッド８４の右側端壁には前記長孔８５にスライドできるように設置されたリミットブロック９０が固定的に設置され、前記伝動チャンバ２７の中の前記第一回転軸２３の外面には第一ベベルギヤ２８が固定的に設置され、前記第一スプラインスリーブ４４の外面には前記第一ベベルギヤ２８と噛み合っている第二ベベルギヤ４２が固定的に設置され、前記第一回転軸２３の左側末端には第二スプラインスリーブ２２が固定的に設置され、前記第一スプライン軸５０の外面には前記巻き取りチャンバ１５の中にスライドできるように設置された阻み板４５が固定的に設置され、前記第一スプライン軸５０の頂部には左右に貫通している挟持孔４６が設置され、前記挟持孔４６の上下端壁の中には開口が向き合っている第一スライド孔４９が設置され、前記第一スライド孔４９の中には第一スライドロッド４７がスライドできるように設置され、前記第一スライドロッド４７と前記第一スライド孔４９の端壁との間には第一バネ４８が弾性を持つように設置され、前記巻き取りチャンバ１５の右側端壁の中には抜き孔１６が設置された。
【００１８】
有益的には、前記鋼線輸送装置３００はまた前記鋼線通し孔９９の上下端壁の中に対称的に設置された弾力チャンバ７５を含み、前記弾力チャンバ７５の中には挟持ブロック７６がスライドできるように設置され、前記挟持ブロック７６と前記弾力チャンバ７５の端壁との間には第二バネ７４が弾性を持つように設置され、前記挟持ブロック７６の中にはローラチャンバ７７が設置され、前記ローラチャンバ７７の左右端壁の中にはラチェット歯止めチャンバ８９が設置され、左右二つの前記ラチェット歯止めチャンバ８９の間には第二回転軸８７が回転できるように設置され、前記ラチェット歯止めチャンバ８９の中の前記第二回転軸８７の末端には前記ラチェット歯止めチャンバ８９と協働するラチェットギヤ８８が固定的に設置され、前記ローラ７８が前記ローラチャンバ７７の中の前記第二回転軸８７の外面に固定的に設置され、前記ガイドロッド７３と前記連通溝１７の頂壁との間には第一復帰装置９１が弾性を持つように設置され、前記連通溝１７の底壁の中にはギヤチャンバ２０が設置され、前記ギヤチャンバ２０の中には第三回転軸１８が回転できるように設置され、前記第三回転軸１８の外面には、前記ガイドロッド７１の底壁に固定的に設置された第一ラック９２と噛み合っているセクタギヤ２１と、前記セクタギヤ２１の前側に位置しているウォームホイール１９とが固定的に設置された。
【００１９】
有益的には、前記鋼線切断装置４００はカムチャンバ５７を含み、前記カムチャンバ５７の中には阻みブロック５４がスライドできるように設置され、前記カムチャンバ５７の頂壁の中には前記連通溝１７に連通しているガイドスライド孔５２が設置され、前記ガイドスライド孔５２の中には切断ナイフ５１がスライドできるように設置され、前記阻みブロック５４と前記カムチャンバ５７の頂壁との間には第三バネ５３が弾性を持つように設置され、前記カムチャンバ５７の右側端壁の中には噛み合いチャンバ６０が設置され、前記噛み合いチャンバ６０と前記カムチャンバ５７との間には前記回転ラック２４と固定的に連結された第四回転軸５５が回転できるように設置され、前記カムチャンバ５７の中の前記第四回転軸５５の外面にはカム５６が固定的に設置され、前記噛み合いチャンバ６０の中の前記第四回転軸５５の末端には第三ベベルギヤ６１が固定的に設置された。
【００２０】
有益的には、前記噛み合いチャンバ６０と前記ギヤチャンバ２０との間にはロックチャンバ６９が設置され、前記ロックチャンバ６９と前記噛み合いチャンバ６０との間には前記ウォームホイール１９と噛み合っているウォーム６８が回転できるように設置され、前記ロックチャンバ６９の中の前記ウォーム６８の外面にはロックギヤ６７が固定的に設置され、前記噛み合いチャンバ６０の頂壁の中には第五回転軸６３が回転できるように設置され、前記第五回転軸６３の末端には前記第三ベベルギヤ６１と噛み合っている第四ベベルギヤ６２が固定的に設置され、前記ウォーム６８と前記第五回転軸６３との間には捻りバネ６４が弾性を持つように設置され、前記カムチャンバ５７の右側端壁の中には第二スライド孔５９が設置され、前記第二スライド孔５９の中には第二ラック５８がスライドできるように設置され、前記ロックチャンバ６９の左側端壁の中には第三スライド孔７０が設置され、前記第三スライド孔７０の中には第三ラック７２がスライドできるように設置され、前記第三ラック７２と前記第三スライド孔７０の頂壁との間には第二復帰装置７１が弾性を持つように設置され、前記第二スライド孔５９と前記第三スライド孔７０との間には空きチャンバ６５が設置され、前記空きチャンバ６５の中には前記第二ラック５８と第三ラック７２と噛み合っている第一ギヤ６６が回転できるように設置された。
【００２１】
有益的には、前記完成品送り装置５００は前記ボディ１０の中に設置された後方へ開口した伝送チャンバ８２を含み、前記伝送チャンバ８２の左側端壁の中にはベルトチャンバ３２が設置され、前記伝送チャンバ８２の中には前後対称の第六回転軸２９がスライドできるように設置され、前記伝送チャンバ８２の中の前記第六回転軸２９の外面には伝送輪８０が固定的に設置され、前後二つの前記伝送輪８０の間が前記伝送ベルト８１により伝動できるように連結され、前側の前記第六回転軸２９の末端が前記ベルトチャンバ３２の中に伸びており、且つ前側の前記第六回転軸２９の末端には第一プーリ３１が固定的に設置され、前記第一プーリ３１と前記伝送輪８０との間にはラチェットギヤ装置９５が設置され、前記伝送チャンバ８２の頂壁の中には前記ボディ１０を貫通している巻き取り桶送り通路１１が設置された。
【００２２】
有益的には、前記切換装置６００は前記スライドチャンバ４３の中にスライドできるように設置されたスライドラック３５を含み、前記スライドラック３５の中には左右に貫通しているネジ山孔３９が設置され、前記ネジ山孔３９の中にはネジ山ロッド４０がネジ山により連結され、前記ネジ山ロッド４０の左側末端が前記ベルトチャンバ３２の左側端壁の中に固定的に設置された第一モータ４１と動力が伝達できるように連結され、前記スライドラック３５の中には第二モータ３４が固定的に設置され、前記第二モータ３４の主軸の右側末端には第二スプライン軸３３が固定的に連結され、前記第二モータ３４の主軸の左側末端には第二ギヤ９３が固定的に装着され、前記スライドチャンバ４３と前記操作チャンバ２６との間には前記回転ラック２４と固定的に連結された第七回転軸３６が回転できるように設置され、前記スライドチャンバ４３の中の前記第七回転軸３６の末端には第三ギヤ３７が固定的に設置され、前記ベルトチャンバ３２の中の前記第七回転軸３６の末端には第二プーリ３８が固定的に設置され、前記第二プーリ３８と前記第一プーリ３１との間がベルト３０により伝動できるように連結された。
【００２３】
有益的には、前記巻き取り桶送り通路１１の中には複数個の巻き取り桶１２がスライドできるように設置され、前記巻き取り桶１２の中には上下に貫通しているパイプ１３が設置され、前記パイプ１３の右側端壁の中には鋼線入り孔１４が設置された。
【００２４】
本実施例の前記固定連結方法はボルト固定と溶接などの方法を含むが、これらに限定されない。
【００２５】
装置全体の機械動作の順序は：
【００２６】
１．前記巻き取り桶１２を図に示すように前記巻き取り桶送り通路１１の中に置き、この時、前記第二モータ３４を始動して回転させ、これにより前記第二スプライン軸３３を連動させて回転させ、これにより前記第二スプラインスリーブ２２を連動させて回転させ、これにより前記第二ベベルギヤ２８を連動させて回転させ、これにより前記第一ベベルギヤ４２を連動させて回転させ、これにより前記第一スプラインスリーブ４４と前記第一スプライン軸５０とを連動させて回転させ、これにより前記巻き取り桶１２を連動させて回転させ、同時に前記第二スプラインスリーブ２２が回転して前記第一回転軸２３を連動させて回転させ、前記第一回転軸２３が回転して前記回転ロッド８４を連動させて回転させ、前記回転ロッド８４が回転して前記リミットブロック９０を連動させて前記第一回転軸２３を中心としてを回転させ、前記回転ロッド８４が水平状態から上向き鉛直状態に回転するとき、前記リミットブロック９０が必ず前記長孔８５の上端壁を上方へ押して前記引き上げラック８６を上方に移動させ、前記第一回転軸２３が引き続き回転するとともに前記回転ロッド８４が鉛直状態から水平状態に回転するとき、前記引き上げラック８６が前記リミットブロック９０の推力作用で下方に移動し、前記第一回転軸２３が引き続き回転するとともに、前記引き上げラック８６が連動して上下へ移動し、これにより前記第一スプライン軸５０を連動させて上下へ移動させ、この時、前記巻き取り桶１２がステンレス鋼線を前記巻き取り桶１２の外面に巻き取る。
【００２７】
２．巻き取りが完成した後、前記第一モータ４１を始動して回転させ、これにより前記ネジ山ロッド４０を連動させて回転させ、この時、前記スライドラック３５が左方へ移動し、これにより前記第二ギヤ９３を連動させて前記第三ギヤ３７と噛み合わせ、この時、前記第二プーリ３８が回転して前記第一プーリ３１を連動させて回転させ、前記ラチェットギヤ装置９５の片方向伝送性質のため、前記伝動輪８０が回転できない。
【００２８】
３．この時、前記第二モータ３４を始動して回転させ、これにより前記回転ラック２４を連動させて回転させ、これにより前記カム５６を連動させて回転させ、前記カム５６が半周回転する時、前記阻みブロック５４が頂点位置まで上方へ移動し、この時、前記切断ナイフ５１がステンレス鋼線を切断し、同時に前記阻みブロック５４が上方へ移動する時、前記第二ラック５８が当接を失って左方へ移動し、これにより前記第三ラック７２を連動させて右方へ移動させ、これにより前記ロックギヤ６７をロックし、この時、前記回転ラック２４が回転して前記第三ベベルギヤ６１を連動させて回転させ、これにより前記第四ベベルギヤ６２を連動させて回転させ、これにより前記捻りバネ６４を連動させて弾性エネルギーを蓄積させ、同時にこの時、前記巻き取りチャンバ１５が前記伝送チャンバ８２に連通し、この時、巻き取ったステンレス鋼線が前記伝送ベルト８１の上方に落ちる。
【００２９】
４．前記回転ラック２４が回転し続け、前記回転ラック２４が一周回転する時、前記巻き取り桶１２が前記巻き取りチャンバ１５の中に落ち、同時に前記阻みブロック５４が下方へ移動して前記第二ラック５８に当接し、前記第二ラック５８が右方へ移動して前記第三ラック７２を連動させて左方へ移動させ、これにより前記第三ラック７２を連動させて移動させて前記ロックギヤ６７から出させ、この時、前記ロックギヤ６７が前記捻りバネ６４の作用のもとで回転し、これにより前記ウォーム６８を連動させて回転させ、これにより前記ウォームホイール１９を連動させて回転させ、これにより前記セクタギヤ２１を連動させて回転させ、これにより前記ガイドロッド７３を連動させて左方へ移動させて前記鋼線入り孔１４の中に挿入し、この時、前記第一スライドロッド４７が上下両側へ移動し、前記セクタギヤ２１が回転し続け、前記セクタギヤ２１が前記第一ラック９２から離脱する時、前記ガイドロッド７３が前記第一復帰装置９１の作用のもとで復帰し、この時、上下二つの前記第一スライドロッド４７がステンレス鋼線をしっかりと挟む。
【００３０】
５．前記第一モータ４１を始動して逆方向へ回転させ、これにより前記スライドラック３５を連動させて右方へ移動させ、これにより前記第二スプライン軸３３を連動させて前記第二スプラインスリーブ２２に入らせ、同時に前記第二プーリ３８が逆方向へ回転して前記第一プーリ３１を連動させて回転させ、これにより前記伝送輪８０を連動させて回転させ、これにより前記伝送輪８１を連動させて移動させて巻き取ったステンレス鋼線を設備の外部まで送り出す。
【００３１】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
正面視で、ボディと前記ボディの中に設置された操作チャンバとを含み、前記操作チャンバの中には巻き取り装置が設置され、前記巻き取り装置は前記操作チャンバの中に回転できるように設置された回転ラックを含み、前記回転ラックの頂壁の中には上方へ開口した巻き取りチャンバが設置され、前記巻き取りチャンバの底壁の中には伝動チャンバが設置され、前記伝動チャンバの端壁の中には引き上げチャンバが設置され、前記引き上げチャンバと前記巻き取りチャンバとの間には第一スプラインスリーブが回転できるように設置され、前記第一スプラインスリーブの中には第一スプライン軸がスプラインにより連結され、前記第一スプライン軸が前記第一スプラインスリーブの回転とともに同時に上下に移動し、これによりステンレス鋼線の巻き取りを実現し、
前記操作チャンバの右側端壁の中には外部に連通した連通溝が設置され、前記連通溝の中には前記巻き取り装置にステンレス鋼線を輸送する鋼線輸送装置が設置され、前記鋼線輸送装置は前記連通溝の中に設置されたスライドできるガイドロッドを含み、前記ガイドロッドの中には鋼線通し孔が設置され、前記鋼線通し孔の上下端壁の中には片方向だけへ回転できるローラが対称的に設置され、前記鋼線輸送装置は前記ローラが片方向しか回転できないことを利用して鋼線を輸送することに便利を与え、
前記鋼線輸送装置の底壁の中にはステンレス鋼線を切断できる鋼線切断装置が設置され、前記回転ラックが半周回転する時に前記鋼線切断装置を連動させて鋼線を切断させ、前記回転ラックが一周回転する時に前記鋼線輸送装置を連動させて鋼線を輸送させ、
前記操作チャンバの底壁の中には巻き取った完成品を輸送する完成品送り装置が設置され、前記回転ラックが回転して巻き取った完成品を連動させて前記完成品送り装置の中に設置された伝送ベルトに落として設備の外部まで送り出し、前記操作チャンバの左側端壁の中にはスライドチャンバが設置され、前記スライドチャンバの中には動力を切り換えることができる切換装置が設置され、前記完成品送り装置が回転して前記切換装置を連動させて作動させ、これにより前記巻き取り装置と前記回転ラックとの間の駆動動力を切り換えることを特徴とする医用のステンレス鋼線の巻き取り装置。
【請求項２】
前記巻き取り装置はまた前記第一スプライン軸の底壁の中に回転できるように連結された引き上げラックを含み、前記引き上げラックの中には左右に貫通している長孔が設置され、前記引き上げチャンバの左側には前記伝動チャンバを貫通している第一回転軸が回転できるように設置され、前記引き上げチャンバの中の前記第一回転軸の末端には回転ロッドが固定的に設置され、前記回転ロッドの右側端壁には前記長孔にスライドできるように設置されたリミットブロックが固定的に設置され、前記伝動チャンバの中の前記第一回転軸の外面には第一ベベルギヤが固定的に設置され、前記第一スプラインスリーブの外面には前記第一ベベルギヤと噛み合っている第二ベベルギヤが固定的に設置され、前記第一回転軸の左側末端には第二スプラインスリーブが固定的に設置され、前記第一スプライン軸の外面には前記巻き取りチャンバの中にスライドできるように設置された阻み板が固定的に設置され、前記第一スプライン軸の頂部には左右に貫通している挟持孔が設置され、前記挟持孔の上下端壁の中には開口が向き合っている第一スライド孔が設置され、前記第一スライド孔の中には第一スライドロッドがスライドできるように設置され、前記第一スライドロッドと前記第一スライド孔の端壁との間には第一バネが弾性を持つように設置され、前記巻き取りチャンバの右側端壁の中には抜き孔が設置されたことを特徴とする請求項１に記載の医用のステンレス鋼線の巻き取り装置。
【請求項３】
前記鋼線輸送装置はまた前記鋼線通し孔の上下端壁の中に対称的に設置された弾力チャンバを含み、前記弾力チャンバの中には挟持ブロックがスライドできるように設置され、前記挟持ブロックと前記弾力チャンバの端壁との間には第二バネが弾性を持つように設置され、前記挟持ブロックの中にはローラチャンバが設置され、前記ローラチャンバの左右端壁の中にはラチェット歯止めチャンバが設置され、左右二つの前記ラチェット歯止めチャンバの間には第二回転軸が回転できるように設置され、前記ラチェット歯止めチャンバの中の前記第二回転軸の末端には前記ラチェット歯止めチャンバと協働するラチェットギヤが固定的に設置され、前記ローラが前記ローラチャンバの中の前記第二回転軸の外面に固定的に設置され、前記ガイドロッドと前記連通溝の頂壁との間には第一復帰装置が弾性を持つように設置され、前記連通溝の底壁の中にはギヤチャンバが設置され、前記ギヤチャンバの中には第三回転軸が回転できるように設置され、前記第三回転軸の外面には、前記ガイドロッドの底壁に固定的に設置された第一ラックと噛み合っているセクタギヤと、前記セクタギヤの前側に位置しているウォームホイールとが固定的に設置されたことを特徴とする請求項１に記載の医用のステンレス鋼線の巻き取り装置。
【請求項４】
前記鋼線切断装置はカムチャンバを含み、前記カムチャンバの中には阻みブロックがスライドできるように設置され、前記カムチャンバの頂壁の中には前記連通溝に連通しているガイドスライド孔が設置され、前記ガイドスライド孔の中には切断ナイフがスライドできるように設置され、前記阻みブロックと前記カムチャンバの頂壁との間には第三バネが弾性を持つように設置され、前記カムチャンバの右側端壁の中には噛み合いチャンバが設置され、前記噛み合いチャンバと前記カムチャンバとの間には前記回転ラックと固定的に連結された第四回転軸が回転できるように設置され、前記カムチャンバの中の前記第四回転軸の外面にはカムが固定的に設置され、前記噛み合いチャンバの中の前記第四回転軸の末端には第三ベベルギヤが固定的に設置されたことを特徴とする請求項３に記載の医用のステンレス鋼線の巻き取り装置。
【請求項５】
前記噛み合いチャンバと前記ギヤチャンバとの間にはロックチャンバが設置され、前記ロックチャンバと前記噛み合いチャンバとの間には前記ウォームホイールと噛み合っているウォームが回転できるように設置され、前記ロックチャンバの中の前記ウォームの外面にはロックギヤが固定的に設置され、前記噛み合いチャンバの頂壁の中には第五回転軸が回転できるように設置され、前記第五回転軸の末端には前記第三ベベルギヤと噛み合っている第四ベベルギヤが固定的に設置され、前記ウォームと前記第五回転軸との間には捻りバネが弾性を持つように設置され、前記カムチャンバの右側端壁の中には第二スライド孔が設置され、前記第二スライド孔の中には第二ラックがスライドできるように設置され、前記ロックチャンバの左側端壁の中には第三スライド孔が設置され、前記第三スライド孔の中には第三ラックがスライドできるように設置され、前記第三ラックと前記第三スライド孔の頂壁との間には第二復帰装置が弾性を持つように設置され、前記第二スライド孔と前記第三スライド孔との間には空きチャンバが設置され、前記空きチャンバの中には前記第二ラックと第三ラックと噛み合っている第一ギヤが回転できるように設置されたことを特徴とする請求項４に記載の医用のステンレス鋼線の巻き取り装置。
【請求項６】
前記完成品送り装置は前記ボディの中に設置された後方へ開口した伝送チャンバを含み、前記伝送チャンバの左側端壁の中にはベルトチャンバが設置され、前記伝送チャンバの中には前後対称の第六回転軸がスライドできるように設置され、前記伝送チャンバの中の前記第六回転軸の外面には伝送輪が固定的に設置され、前後二つの前記伝送輪の間が前記伝送ベルトにより伝動できるように連結され、前側の前記第六回転軸の末端が前記ベルトチャンバの中に伸びており、且つ前側の前記第六回転軸の末端には第一プーリが固定的に設置され、前記第一プーリと前記伝送輪との間にはラチェットギヤ装置が設置され、前記伝送チャンバの頂壁の中には前記ボディを貫通している巻き取り桶送り通路が設置されたことを特徴とする請求項１に記載の医用のステンレス鋼線の巻き取り装置。
【請求項７】
前記切換装置は前記スライドチャンバの中にスライドできるように設置されたスライドラックを含み、前記スライドラックの中には左右に貫通しているネジ山孔が設置され、前記ネジ山孔の中にはネジ山ロッドがネジ山により連結され、前記ネジ山ロッドの左側末端が前記ベルトチャンバの左側端壁の中に固定的に設置された第一モータと動力が伝達できるように連結され、前記スライドラックの中には第二モータが固定的に設置され、前記第二モータの主軸の右側末端には第二スプライン軸が固定的に連結され、前記第二モータの主軸の左側末端には第二ギヤが固定的に装着され、前記スライドチャンバと前記操作チャンバとの間には前記回転ラックと固定的に連結された第七回転軸が回転できるように設置され、前記スライドチャンバの中の前記第七回転軸の末端には第三ギヤが固定的に設置され、前記ベルトチャンバの中の前記第七回転軸の末端には第二プーリが固定的に設置され、前記第二プーリと前記第一プーリとの間がベルトにより伝動できるように連結されたことを特徴とする請求項６に記載の医用のステンレス鋼線の巻き取り装置。
【請求項８】
前記巻き取り桶送り通路の中には複数個の巻き取り桶がスライドできるように設置され、前記巻き取り桶の中には上下に貫通しているパイプが設置され、前記パイプの右側端壁の中には鋼線入り孔が設置されたことを特徴とする請求項１に記載の医用のステンレス鋼線の巻き取り装置。